(57)【要約】  自車両の走行状態を検出する検出手段１１０と、自車両の走行状態に基づいて、自車両の走行シーンを判定する判定手段１８０と、走行シーンごとに、ユーザに提示する提示情報を記憶している記憶手段１８０と、走行シーンに対応する提示情報をユーザに提示する提示手段１８０と、提示情報に対する応答情報をユーザが入力するための入力手段１６０と、応答情報に基づいて、自車両の走行を制御する制御手段１８０と、を備え、記憶手段１８０は、提示情報に関連付けて、提示情報を提示する際の優先順位をさらに記憶しており、提示手段１８０は、自車両の実際の走行シーンが、記憶手段に記憶された２以上の前記提示情報に対応する走行シーンに該当する場合には、優先順位が最も高い提示情報を、ユーザに提示することを特徴とする走行制御装置。
2016113926.tif 000002
【特許請求の範囲】
【請求項１】
自車両の走行状態を検出する検出手段と、
前記自車両の走行状態に基づいて、自車両の走行シーンを判定する判定手段と、
前記走行シーンごとに、ユーザに提示する提示情報を記憶している記憶手段と、
前記走行シーンに対応する前記提示情報をユーザに提示する提示手段と、
前記提示情報に対する応答情報をユーザが入力するための入力手段と、
前記入力手段により入力された応答情報に基づいて、自車両の走行を制御する制御手段と、を備え、
前記記憶手段は、前記提示情報に関連付けて、前記提示情報を提示する際の優先順位をさらに記憶しており、
前記提示手段は、自車両の実際の走行シーンが、前記記憶手段に記憶された２以上の前記提示情報に対応する走行シーンに該当する場合には、前記優先順位が最も高い前記提示情報を、ユーザに提示することを特徴とする走行制御装置。
【請求項２】
請求項１に記載の走行制御装置であって、
前記優先順位が、前記走行シーンにおけるユーザの注意喚起度に応じて設定されていることを特徴とする走行制御装置。
【請求項３】
自車両の走行状態を検出する検出手段と、
前記自車両の走行状態に基づいて、自車両の走行シーンを判定する判定手段と、
前記走行シーンごとに、自車両が実行可能な走行態様をそれぞれ示す複数の選択肢を含む提示情報を記憶している記憶手段と、
前記自車両の走行シーンに対応する前記提示情報をユーザに提示する提示手段と、
前記提示手段により提示された前記提示情報に含まれる前記複数の選択肢の中から、ユーザが１の選択肢を選択するための入力手段と、
前記ユーザが選択した選択肢に基づいて、自車両の走行を制御する制御手段と、を備え、
前記提示手段は、前記自車両の走行状態に基づいて、前記提示情報に含まれる前記複数の選択肢の中から１つの選択肢を候補選択肢として決定し、前記候補選択肢が選択された状態で、前記提示情報をユーザに提示し、
前記制御手段は、前記提示情報がユーザに提示された後に、ユーザが選択肢を選択しない場合には、前記候補選択肢をユーザが選択した選択肢とみなして、前記候補選択肢に基づいて、自車両の走行を制御することを特徴とする走行制御装置。
【請求項４】
請求項３に記載の走行制御装置であって、
前記制御手段は、前記提示情報がユーザに提示された後、ユーザが選択肢を選択するまでの間に、自車両が前記走行シーンごとに定められた所定の制御開始条件を満たした場合には、前記候補選択肢に基づいて、自車両の走行を制御することを特徴とする走行制御装置。
【請求項５】
請求項３または４に記載の走行制御装置であって、
前記記憶手段は、先行車両に追いつくシーンに対応する前記提示情報として、前記先行車両に追従する旨の選択肢および前記先行車両を追い越す旨の選択肢を含む提示情報を記憶しており、
前記提示手段は、前記自車両の実際の走行シーンが前記先行車両に追いつくシーンである場合には、前記自車両の走行状態に基づいて、前記先行車両に追従する旨の選択肢および前記先行車両を追い越す旨の選択肢の中から、前記候補選択肢を決定することを特徴とする走行制御装置。
【請求項６】
請求項３〜５のいずれかに記載の走行制御装置であって、
前記記憶手段は、料金所に近づくシーンに対応する前記提示情報として、料金所の各ブースに対応する複数の選択肢を含む提示情報を記憶しており、
前記提示手段は、前記自車両の実際の走行シーンが前記料金所に近づくシーンである場合には、前記自車両の走行状態に基づいて、前記料金所の各ブースに対応する複数の選択肢の中から、前記候補選択肢を決定することを特徴とする走行制御装置。
【請求項７】
請求項３〜６のいずれかに記載の走行制御装置であって、
前記記憶手段は、合流地点に近づくシーンに対応する前記提示情報として、直進する旨の選択肢および車線変更を行う旨の選択肢を含む提示情報を記憶しており、
前記提示手段は、前記自車両の実際の走行シーンが前記合流地点に近づくシーンである場合には、前記自車両の走行状態に基づいて、前記直進する旨の選択肢および前記車線変更を行う旨の選択肢の中から、前記候補選択肢を決定することを特徴とする走行制御装置。
【請求項８】
自車両の走行状態を検出する検出手段と、
前記自車両の走行状態に基づいて、自車両の走行シーンを判定する判定手段と、
前記走行シーンごとに、自車両が実行可能な走行態様をそれぞれ示す複数の選択肢を含む提示情報を記憶している記憶手段と、
前記走行シーンに対応する前記提示情報をユーザに提示する提示手段と、
前記提示手段により提示された前記提示情報に含まれる前記複数の選択肢の中から、ユーザが１の選択肢を選択するための入力手段と、
前記ユーザが選択した選択肢に基づいて、自車両の走行を制御する制御手段と、を備え、
前記提示手段は、前記自車両の走行状態に基づいて、前記提示情報に含まれる前記複数の選択肢のうち一部の選択肢である第１選択肢を第１の提示態様で提示し、前記複数の選択肢のうち前記第１選択肢とは異なる第２選択肢を前記第１の提示態様とは異なる第２の提示態様で提示することを特徴とする走行制御装置。
【請求項９】
請求項８に記載の走行制御装置であって、
前記記憶手段は、先行車両に追いつくシーンに対応する前記提示情報として、前記先行車両に追従する旨の選択肢および前記先行車両を追い越す旨の選択肢を含む提示情報を記憶しており、
前記提示手段は、前記自車両の実際の走行シーンが前記先行車両に追いつくシーンである場合には、前記自車両の走行状態に基づいて、前記先行車両に追従する旨の選択肢を前記第１の提示態様または前記第２の提示態様で提示し、前記先行車両を追い越す旨の選択肢を、前記先行車両に追従する旨の選択肢の提示態様とは異なる前記第１の提示態様または前記第２の提示態様で提示することを特徴とする走行制御装置。
【請求項１０】
請求項８または９に記載の走行制御装置であって、
前記記憶手段は、料金所に近づくシーンに対応する前記提示情報として、料金所の各ブースに対応する複数の選択肢を含む提示情報を記憶しており、
前記提示手段は、前記自車両の実際の走行シーンが前記料金所に近づくシーンである場合には、前記自車両の走行状態に基づいて、前記各ブースに対応する複数の選択肢のうち一部のブースに対応する選択肢を前記第１の提示態様または前記第２の提示態様で提示し、前記一部のブースに対応する選択肢とは異なる選択肢を、前記一部のブースに対応する選択肢の提示態様とは異なる前記第１の提示態様または前記第２の提示態様で提示することを特徴とする走行制御装置。
【請求項１１】
請求項８〜１０のいずれかに記載の走行制御装置であって、
前記記憶手段は、合流地点に近づくシーンに対応する前記提示情報として、直進する旨の選択肢および車線変更を行う旨の選択肢を含む提示情報を記憶しており、
前記提示手段は、前記自車両の実際の走行シーンが前記合流地点に近づくシーンである場合には、前記自車両の走行状態に基づいて、前記直進する旨の選択肢を前記第１の提示態様または前記第２の提示態様で提示し、前記車線変更を行う旨の選択肢を前記直進する旨の選択肢の提示態様とは異なる前記第１の提示態様または前記第２の提示態様で提示することを特徴とする走行制御装置。
【請求項１２】
請求項１〜１１のいずれかに記載の走行制御装置であって、
前記記憶手段は、前記提示情報に関連付けて、前記提示情報の提示条件を記憶しており、
前記提示手段は、自車両が前記提示条件を満たした場合に、前記提示情報をユーザに提示することを特徴とする走行制御装置。
【請求項１３】
請求項１２に記載の走行制御装置であって、
前記提示手段は、前記自車両の走行状態に基づいて、前記提示情報の提示条件を変更することを特徴とする走行制御装置。
【請求項１４】
自車両の走行状態を検出する検出手段と、
前記自車両の走行状態に基づいて、自車両の走行シーンを判定する判定手段と、
前記走行シーンごとに、ユーザに提示する提示情報を記憶している記憶手段と、
前記走行シーンに対応する前記提示情報をユーザに提示する提示手段と、
前記提示情報に対する応答情報をユーザが入力するための入力手段と、
前記入力手段により入力された応答情報に基づいて、自車両の自動走行を制御する制御手段と、を備え、
前記制御手段は、前記提示情報の提示回数に対する前記応答情報の入力回数の割合が所定値以下である場合に、自車両を所定のスペースまで退避させる制御、前記自動走行を解除する制御、および自車両を停車させる制御のうち、いずれか１つの制御を特定制御として実行することを特徴とする走行制御装置。
【請求項１５】
請求項１４に記載の走行制御装置であって、
ユーザにより、車載機器が操作されたことを示す操作情報を取得する取得手段をさらに備え、
前記制御手段は、前記操作情報に基づいて、現在までの一定時間における前記車載機器の操作回数が所定回数以下である場合に、前記特定制御を実行することを特徴とする走行制御装置。
【請求項１６】
請求項１４または１５に記載の走行制御装置であって、
前記提示手段は、前記制御手段により前記特定制御が実行される前に、前記特定制御を実行するか否かをユーザが選択するための選択肢を含む特定提示情報を、ユーザに提示することを特徴とする走行制御装置。
【請求項１７】
請求項１６に記載の走行制御装置であって、
前記提示手段は、前記特定提示情報に含まれる選択肢のうち、前記特定制御を実行しない旨の選択肢を候補選択肢として決定し、前記候補選択肢が選択された状態で、前記特定提示情報をユーザに提示することを特徴とする走行制御装置。
【請求項１８】
請求項１４〜１７のいずれかに記載の走行制御装置であって、
前記制御手段は、ユーザにより選択肢が選択されない場合には、前記特定制御を実行することを特徴とする走行制御装置。
【発明の詳細な説明】
【技術分野】
【０００１】
本発明は、走行制御装置に関するものである。
本出願は、２０１５年１月１３日に出願された日本国特許出願の特願２０１５−００３８９３号に基づく優先権を主張するものであり、文献の参照による組み込みが認められる指定国については、上記の出願に記載された内容を参照により本出願に組み込み、本出願の記載の一部とする。
【背景技術】
【０００２】
従来、自車両が走行している際に、自車両と先行車両との間の車間距離を一定距離に維持する技術が知られている。このような技術において、自車両が先行車両を追い越し可能であるか否かを判断し、追い越し可能であると判断した場合に、先行車両の追い越しを自動で実行する技術が知られている（たとえば特許文献１）。
【先行技術文献】
【特許文献】
【０００３】
【特許文献１】特開２０１４−７６６８９号公報
【発明の概要】
【発明が解決しようとする課題】
【０００４】
従来技術では、ユーザの意思を確認することなく自車両の走行を制御するため、ユーザの意思とは異なる走行制御が行われる場合があった。【０００５】
本発明が解決しようとする課題は、自車両の走行を制御する際に、ユーザの意思に基づいた適切な制御を行うことが可能な走行制御装置を提供することである。
【課題を解決するための手段】
【０００６】
本発明は、自車両の走行状態に基づいて走行シーンを判定し、走行シーンに対応する提示情報をユーザに提示し、ユーザが提示情報に対して応答情報を入力した場合に、ユーザが入力した応答情報に基づいて、自車両の走行を制御する走行制御装置において、自車両の実際の走行シーンが２以上の提示情報に対応する走行シーンに該当する場合には、優先順位が最も高い提示情報をユーザに提示することで、上記課題を解決する。
【発明の効果】
【０００７】
本発明によれば、自車両の走行シーンに応じてユーザがより必要とする提示情報を提示することができ、このような提示情報に対してユーザが入力した応答情報に基づいて、自車両の走行を制御することで、ユーザの判断に基づいた適切な走行制御を行うことができる。
【図面の簡単な説明】
【０００８】
【図１】本実施形態に係る走行制御装置の構成図である。
【図２】走行シーンの判定に用いられるテーブルの一例を示す図である。
【図３】先行車両への追いつきシーンにおいて、提示装置により提示される提示情報の一例を示す図である。
【図４】本実施形態に係る走行制御処理を示すフローチャートである。
【図５】料金所に近づくシーンにおいて、提示装置により提示される提示情報の一例を示す図である。
【図６】合流地点に近づくシーンにおいて、提示装置により提示される提示情報の一例を示す図である。
【図７】自車レーンの閉塞シーンにおいて、提示装置により提示される提示情報の一例を示す図である。
【図８】路上物体の回避シーンにおいて、提示装置により提示される提示情報の一例を示す図である。
【図９】後方車両に追いつかれシーンにおいて、提示装置により提示される提示情報の一例を示す図である。
【図１０】緊急退避シーンにおいて、提示装置により提示される提示情報の一例を示す図である。
【図１１】目的地への車線乗り換えシーンにおいて、提示装置により提示される提示情報の一例を示す図である。
【図１２】ＳＡ／ＰＡに向かうシーンにおいて、提示装置により提示される提示情報の一例を示す図である。
【図１３】車線変更を行うシーンにおいて、提示装置により提示される提示情報の一例を示す図である。
【図１４】第２実施形態に係る特定走行制御において、提示装置により提示される提示情報の一例を示す図である。
【図１５】第２実施形態に係る特定走行制御処理を示すフローチャートである。
【図１６】第３実施形態に係る特定走行制御において、提示装置により提示される提示情報の一例を示す図である。
【図１７】第３実施形態に係る特定走行制御処理を示すフローチャートである。
【発明を実施するための形態】
【０００９】
以下、本発明の実施形態を図面に基づいて説明する。なお、以下においては、本発明に係る走行制御装置を、車両に搭載する構成を例示して説明する。
【００１０】
《第１実施形態》
図１は、本実施形態に係る走行制御装置１００の構成を示す図である。図１に示すように、本実施形態に係る走行制御装置１００は、センサ１１０と、自車位置検出装置１２０と、地図データベース１３０と、車載機器１４０と、提示装置１５０と、入力装置１６０と、駆動制御装置１８０と、制御装置１９０と、通信装置１７０とを有している。これら装置は、相互に情報の授受を行うためにＣＡＮ（Controller Area Network）その他の車載ＬＡＮによって接続されている。
【００１１】
センサ１１０は、自車両の走行状態を検出する。たとえば、センサ１１０として、自車両の前方を撮像する前方カメラ、自車両の後方を撮像する後方カメラ、自車両の前方の障害物を検出する前方レーダー、自車両の後方の障害物を検出する後方レーダー、自車両の側方に存在する障害物を検出する側方レーダー、自車両の車速を検出する車速センサ、および運転者を撮像する車内カメラなどが挙げられる。なお、センサ１１０として、上述した複数のセンサのうち１つを用いる構成としてもよいし、２種類以上のセンサを組み合わせて用いる構成としてもよい。センサ１１０の検出結果は、制御装置１９０に出力される。
【００１２】
自車位置検出装置１２０は、ＧＰＳユニット、ジャイロセンサ、および車速センサなどから構成されており、ＧＰＳユニットにより複数の衛星通信から送信される電波を検出し、対象車両（自車両）の位置情報を周期的に取得するとともに、取得した対象車両の位置情報と、ジャイロセンサから取得した角度変化情報と、車速センサから取得した車速とに基づいて、対象車両の現在位置を検出する。自車位置検出装置１２０により検出された対象車両の位置情報は、制御装置１９０に出力される。
【００１３】
地図データベース１３０は、各種施設や特定の地点の位置情報を含む地図情報を記憶している。具体的には、合流地点、分岐地点、料金所、車線数の減少位置、サービスエリア（ＳＡ）／パーキングエリア（ＰＡ）などの位置情報が、地図情報とともに記憶されている。地図データベースに格納された地図情報は、制御装置１９０により参照可能となっている。
【００１４】
車載機器１４０は、車両に搭載された各種機器であり、運転者により操作されることで動作する。このような車載機器としては、ステアリング、アクセルペダル、ブレーキペダル、ナビゲーション装置、オーディオ装置、エアーコンディショナー、ハンズフリースイッチ、パワーウィンドウ、ワイパー、ライト、方向指示器、クラクションなどが挙げられる。車載機器１４０が運転者により操作された場合に、その情報が制御装置１９０に出力される。
【００１５】
提示装置１５０は、たとえば、ナビゲーション装置が備えるディスプレイ、ルームミラーに組み込まれたディスプレイ、メーター部に組み込まれたディスプレイ、フロントガラスに映し出されるヘッドアップディスプレイ、あるいは、オーディオ装置が備えるスピーカーなどの装置である。提示装置１５０は、制御装置１９０の制御に従って、後述する提示情報をドライバーに提示する。なお、提示情報の提示方法についても後述する。
【００１６】
入力装置１６０は、たとえば、ドライバーの手操作による入力が可能なダイヤルスイッチ、ディスプレイ画面上に配置されたタッチパネル、あるいは、ドライバーの音声による入力が可能なマイクなどの装置である。本実施形態では、ドライバーが入力装置１６０を操作することで、提示装置１５０により提示された提示情報に対する応答情報を入力することができる。なお、入力装置１６０により入力された応答情報は、制御装置１９０に出力される。
【００１７】
通信装置１７０は、車両外部の通信機器と通信を行う。たとえば、通信装置１７０は、他車両との間で車々間通信を行い、路肩に設置された機器との間で路車間通信を行い、あるいは、車両外部に設置された情報サーバとの間で無線通信を行うことで、各種情報を外部機器から取得することができる。なお、通信装置により取得された情報は、制御装置１９０に出力される。
【００１８】
駆動制御装置１８０は、自車両の走行を制御する。たとえば、駆動制御装置１８０は、自車両が先行車両に追従する場合には、自車両と先行車両との車間距離が一定距離となるように、加減速度および車速を実現するための駆動機構の動作（エンジン自動車にあっては内燃機関の動作、電気自動車系にあっては電動モータ動作を含み、ハイブリッド自動車にあっては内燃機関と電動モータとのトルク配分も含む）およびブレーキ動作を制御する。また、自車両が先行車両の追い越しなどの車線変更を行う場合には、ステアリングアクチュエータの動作を制御して、車輪の動作を制御することで、自車両の転回制御を実行する。なお、駆動制御装置１８０による走行制御方法として、その他の周知の方法を用いることもできる。
【００１９】
制御装置１９０は、自車両の走行を制御するためのプログラムを格納したＲＯＭ（Read Only Memory）と、このＲＯＭに格納されたプログラムを実行するＣＰＵ（Central Processing Unit）と、アクセス可能な記憶装置として機能するＲＡＭ（Random Access Memory）とから構成される。なお、動作回路としては、ＣＰＵ（Central Processing Unit）に代えて又はこれとともに、ＭＰＵ（Micro Processing Unit）、ＤＳＰ（Digital Signal Processor）、ＡＳＩＣ（Application Specific Integrated Circuit）、ＦＰＧＡ（Field Programmable Gate Array）などを用いることができる。
【００２０】
制御装置１９０は、ＲＯＭに格納されたプログラムをＣＰＵにより実行することにより、自車両の走行状態に関する情報を取得する走行情報取得機能と、自車両の走行シーンを判定する走行シーン判定機能と、走行シーンに応じてドライバーに提示する提示情報を決定する提示情報決定機能と、ドライバーに提示情報を提示する提示機能と、提示情報に対してドライバーが入力した応答情報を取得する応答情報取得機能と、自車両の走行を制御する走行制御機能とを実現する。以下において、制御装置１９０が備える各機能について説明する。
【００２１】
制御装置１９０の走行情報取得機能は、自車両の走行シーンを判定するために、自車両の走行状態に関する走行情報を取得する。たとえば、走行情報取得機能は、前方カメラおよび後方カメラにより撮像された車両外部の画像情報や、前方レーダー、後方レーダー、および側方レーダーによる検出結果を、走行情報として取得することができる。また、走行情報取得機能は、車速センサにより検出された自車両の車速情報や、車内カメラにより撮像された運転者の顔の画像情報も走行情報として取得することができる。
【００２２】
さらに、走行情報取得機能は、自車両の現在位置の情報を走行情報として自車位置検出装置１２０から取得することができ、また、合流地点、分岐地点、料金所、車線数の減少位置、サービスエリア（ＳＡ）／パーキングエリア（ＰＡ）などの位置情報を走行情報として地図データベース１３０から取得することができる。加えて、走行情報取得機能は、運転者による車載機器１４０の操作情報を走行情報として車載機器１４０から取得することもできる。
【００２３】
制御装置１９０の走行シーン判定機能は、制御装置１９０のＲＯＭに記憶されたテーブルを参照して、自車両が走行している走行シーンを判定する。図２は、走行シーンの判定に用いられるテーブルの一例を示す図である。たとえば、図２に示すテーブルには、走行シーンの名称、走行シーンの判定条件、提示情報の優先順位、提示情報の提示条件、および提示情報の待機解除条件が、走行シーンごとに格納されている。なお、提示情報の優先順位、提示情報の提示条件、および提示情報の待機解除条件については後述する。
【００２４】
たとえば、図２に示す例では、「先行車両への追いつきシーン」の判定条件として、「前方に先行車両を検知」かつ「先行車両の車速＜自車両の車速」の２つの条件が設定されている。この場合、走行シーン判定機能は、たとえば、前方カメラや前方レーダーによる検出結果、車速センサにより検出された自車両の車速、および自車両の位置情報などに基づいて、自車両が上記条件を満たすか否かを判断し、上記条件を満たす場合に、自車両が「先行車両への追いつきシーン」であると判定する。同様に、走行シーン判定機能は、シーン判定テーブルに登録された全ての走行シーンについて判定条件を満たすか否かを判定する。
【００２５】
制御装置１９０の提示情報決定機能は、走行シーン判定機能により判定された自車両の走行シーンに基づいて、ドライバーに提示する提示情報を決定する。本実施形態では、制御装置１９０のＲＯＭに各走行シーンに対応する提示情報が記憶されており、提示情報決定機能は、走行シーン判定機能により判定された走行シーンに対応する提示情報をＲＯＭから抽出する。
【００２６】
ここで、図３は、「先行車両への追いつきシーン」において、提示装置１５０であるディスプレイの画面に表示される提示情報の一例を示す図である。提示情報決定機能は、自車両の走行シーンが「先行車両への追いつきシーン」である場合には、図３に示すように、「先行車両がいますがどうしますか？」などのメッセージ情報とともに、「追従する」および「追い抜く」の２つの選択肢を含んだ提示情報をドライバーに提示することを決定する。
【００２７】
また、自車両の走行状態によっては、自車両の実際の走行シーンが、２以上の提示情報に対応する走行シーンにそれぞれ該当する場合がある。この場合、提示情報決定機能は、図２に示すように、テーブルに登録されたそれぞれの提示情報の優先順位を参照して、優先順位がより高い提示情報を、ドライバーに提示する提示情報として決定する。
【００２８】
たとえば、図２に示す例において、自車両の走行シーンが、「先行車両への追いつきシーン」に該当する場合において、さらに、「サービスエリアまたはパーキングエリアまでの到達時間が６０秒以内」であり、「ＳＡ／ＰＡに向かうシーン」にも該当する場合がある。このような場合、提示情報決定機能は、「先行車両への追いつきシーン」における提示情報の優先順位と、「ＳＡ／ＰＡに向かうシーン」における提示情報の優先順位とを比較して、優先順位がより高い方の提示情報をドライバーに提示する提示情報として決定する。たとえば、図２に示す例では、「ＳＡ／ＰＡに向かうシーン」における提示情報の優先順位「Ｉ」は、「先行車両への追いつきシーン」における提示情報の優先順位「Ａ」よりも高いため、提示情報決定機能は、優先順位がより高い「ＳＡ／ＰＡに向かうシーン」の提示情報を、ドライバーに提示する提示情報として決定する。
【００２９】
また、図２に示す例において、自車両の走行シーンが、「先行車両への追いつきシーン」および「合流地点に近づくシーン」に該当する場合もある。「合流地点に近づくシーン」における提示情報の優先順位「Ｃ」は、「先行車両への追いつきシーン」における提示情報の優先順位「Ａ」よりも高いため、提示情報決定機能は、優先順位がより高い「合流地点に近づくシーン」の提示情報を、ドライバーに提示する提示情報として決定することができる。
【００３０】
なお、提示情報の優先順位は、各走行シーンにおけるドライバーの注意喚起度に応じて適宜設定することができる。たとえば、「緊急退避シーン」や「路上物体の回避シーン」などでは、ドライバーの注意を喚起する重要性は高いため、その分、優先順位を高く設定することができる。一方、「ＳＰ／ＰＡに向かうシーン」や「合流地点に近づくシーン」などが、他の走行シーンに比べて、ドライバーの注意を喚起する重要性は高くないと考えれば、その分、優先順位を低く設定することもできる。たとえば、「ＳＰ／ＰＡに向かうシーン」や「合流地点に近づくシーン」における提示情報の優先順位を、「先行車両への追いつきシーン」における提示情報の優先順位よりも低く設定することもできる。
【００３１】
制御装置１９０の提示機能は、提示情報決定機能により決定された提示情報をドライバーに提示する。具体的には、提示機能は、提示情報決定機能により決定された提示情報を、提示装置１５０に送信することで、提示装置１５０に、提示情報決定機能により決定された提示情報をドライバーに提示させる。
【００３２】
また、提示機能は、提示情報を提示するタイミングを定める提示条件を満たすか否かを判断し、提示条件が満たされたタイミングにおいて、提示情報をドライバーに提示する。具体的には、提示機能は、図２に示すテーブルを参照し、ドライバーに提示する提示情報の提示条件を取得する。そして、提示機能は、自車両の走行情報に基づいて、自車両が提示条件を満たすか否かを判断し、提示条件を満たしたタイミングにおいて、提示情報をドライバーに提示する。
【００３３】
たとえば、「先行車両への追いつきシーン」において、提示機能は、図２に示すテーブルを参照し、「先行車両への追いつきシーン」に対応する提示情報の提示条件を取得する。図２に示す例では、「先行車両への追いつきシーン」の提示情報に対応する提示条件は、「先行車両に対するＴＴＣ（Time To Contact）がＳ１以下」と設定されている。この場合、提示機能は、先行車両の車速および自車両の車速などの自車両の走行情報に基づいて、先行車両に対するＴＴＣを算出し、ＴＴＣが所定値Ｓ１以下となったタイミングＴ１において、提示情報をドライバーに提示する。
【００３４】
また、本実施形態において、提示機能は、自車両の走行状態に基づいて、提示条件を変更し、提示情報を提示するタイミングを変更することができる。なお、提示条件の変更方法の詳細については後述する。
【００３５】
さらに、提示機能は、提示情報をドライバーに提示する前に、自車両の走行状態に基づいて、提示情報に含まれる選択肢の提示態様および最初に選択される選択肢（デフォルト選択肢）を決定する。たとえば、図３に示す例において、提示機能は、自車両の走行状態に基づいて、「追従する」および「追い抜く」の２つの選択肢のうち、「追従する」の選択肢をデフォルト選択肢として決定し、これにより、図３に示すように、「追従する」の選択肢に、選択している状態であることを示す枠線を重畳した状態で、提示情報をドライバーに提示する。また、図３に示す例において、提示機能は、「追従する」の選択肢をドライバーが選択し易いように、「追い抜く」の選択肢をグレーで表示して（「追い抜く」の選択肢の表示態様を変更して）、提示情報を提示する。なお、選択肢の提示態様の変更方法およびデフォルト選択肢の決定方法の詳細については後述する。
【００３６】
制御装置１９０の応答情報取得機能は、ドライバーに提示された提示情報に対して、ドライバーが入力装置１６０を介して応答情報を入力した場合に、ドライバーが入力した応答情報を入力装置１６０から取得する。たとえば、図３に示すように、「先行車両への追いつきシーン」においては「追従する」と「追い抜く」の２つの選択肢が提示情報としてドライバーに提示される。これに対して、ドライバーが入力装置１６０を操作して「追い抜く」の選択肢を選択した場合には、応答情報取得機能は、入力装置１６０から「追い抜く」旨の応答情報を取得する。
【００３７】
制御装置１９０の走行制御機能は、応答情報取得機能により取得された入力情報に基づいて、自車両の走行を制御する。たとえば、走行制御機能は、「先行車両への追いつきシーン」において「追い抜く」旨の入力情報が取得された場合には、先行車両を追い抜くための車線変更を行うように、駆動制御装置１８０に指示を送信する。
【００３８】
また、本実施形態において、走行制御機能は、提示情報がドライバーに提示された後に、後述する待機解除条件が満たされた場合には、ドライバーにより応答情報が入力されていない場合でも、現在選択されている選択肢に基づいて、自車両の走行を制御する。具体的には、走行制御機能は、図２に示すテーブルを参照し、ドライバーに提示する提示情報に対応する待機解除条件を満たすか否かを判断する。そして、待機解除条件を満たす場合には、現在選択されている選択肢に基づいて、自車両の走行を制御する。
【００３９】
たとえば、図３に示す例では、「追従する」の選択肢が最初に選択された状態でドライバーに提示されている。また、走行制御機能は、提示情報をドライバーに提示した後、図２に示すテーブルを参照して、「先行車両に対するＴＴＣがＳ２（Ｓ２＜Ｓ１）以下」との待機解除条件を満たすか否かを判断する。そして、走行制御機能は、「先行車両に対するＴＴＣがＳ２以下」との待機解除条件を満たす場合には、ドライバーが「追従する」旨の選択肢を選択していない場合でも、「追従する」の選択肢に基づいて、自車両の走行を制御する。
【００４０】
続いて、図４を参照して、本実施形態に係る走行制御処理について説明する。図４は、本実施形態に係る走行制御処理を示すフローチャートである。なお、以下に説明する走行制御処理は、制御装置１９０により実行される。
【００４１】
まず、ステップＳ１０１では、走行情報取得機能により、自車両の走行状態に関する走行情報の取得が行われる。また、ステップＳ１０２では、走行シーン判定機能により、ステップＳ１０１で取得された走行情報に基づいて、自車両の走行シーンの判定が行われる。
【００４２】
ステップＳ１０３では、提示情報決定機能により、ステップＳ１０２で判定された走行シーンに対応する提示情報が抽出される。そして、ステップＳ１０４では、提示情報決定機能により、ステップＳ１０３において２以上の提示情報が抽出されたか否かの判断が行われる。２以上の提示情報が抽出された場合には、ステップＳ１０５に進み、ステップＳ１０４で抽出された２以上の提示情報の中から、それぞれの提示情報の優先順位に基づいて、ドライバーに提示する提示情報の決定が行われる。その後、ステップＳ１０６に進む。また、ステップＳ１０４において、２以上の提示情報が抽出されてない場合にも、ステップＳ１０６に進む。
【００４３】
ステップＳ１０６では、提示機能により、ドライバーに提示する提示情報が有する各選択肢の提示態様が決定され、ステップＳ１０７では、提示機能により、提示情報に含まれる複数の選択肢のうち、最初に選択される選択肢（デフォルト選択肢）の決定が行われる。
【００４４】
また、ステップＳ１０８では、提示機能により、提示情報を提示するための提示条件の決定が行われる。提示機能は、図２に示すように、テーブルに登録された提示条件を、提示情報の提示条件として取得することができ、また、自車両の走行情報に基づいて、取得した提示情報を変更することもできる。そして、ステップＳ１０９では、提示機能により、ステップＳ１０８で決定された提示条件を満たしているか否かの判断が行われ、提示条件を満たしていない場合には、提示条件が満たされるまで、ステップＳ１０９で待機し、提示条件を満たした場合には、ステップＳ１１０に進む。
【００４５】
ステップＳ１１０では、提示機能により、提示情報の提示が行われる。具体的には、提示機能は、ステップＳ１０３で抽出した提示情報（抽出した提示情報が２以上ある場合には、ステップＳ１０５で決定された提示情報）を、ステップＳ１０６で決定された各選択肢の提示態様により、ステップＳ１０７で決定された選択肢が最初に選択された状態で、提示装置１５０に提示させることで、ドライバーに提示情報を提示する。
【００４６】
ステップＳ１１１では、走行制御機能により、ステップＳ１１０で提示した提示情報に対して、ドライバーが入力装置１６０を用いて、いずれか１つの選択肢を選択したか否かの判断が行われる。ドライバーが選択肢を選択した場合には、ステップＳ１１３に進み、一方、ドライバーが選択肢を選択していない場合には、ステップＳ１１２に進む。なお、ドライバーが選択肢を選択した場合とは、ドライバーが入力装置１６０を用いて、デフォルト選択肢とは異なる選択肢を選択する旨の応答情報を入力した場合、あるいは、デフォルト選択肢を許可する旨の応答情報を入力した場合が挙げられる。
【００４７】
ステップＳ１１１において、ドライバーが選択肢を選択していないと判断された場合には、ステップＳ１１２に進む。ステップＳ１１２では、走行制御機能により、待機解除条件が満たされているか否かの判断が行われる。待機解除条件が満たされていない場合には、ステップＳ１１１に戻り、ドライバーにより選択肢が選択されるか、待機解除条件が満たされるまで、ステップＳ１１１，Ｓ１１２の処理を繰り返す。そして、待機解除条件が満たされた場合には、ステップＳ１１３に進む。そして、ステップＳ１１３では、走行制御機能により、選択された提示情報の選択肢に基づいて、自車両の走行の制御が行われる。
【００４８】
次に、走行シーンごとの制御装置１９０の動作について詳細に説明する。まず初めに、「先行車両への追いつきシーン」における制御装置１９０の動作について説明する。
【００４９】
たとえば、制御装置１９０は、自車両の走行情報を取得し（ステップＳ１０１）、取得した走行情報に基づいて、自車両の走行シーンを判定した結果（ステップＳ１０２）、「前方に先行車両を検知」、かつ「先行車両の車速＜自車両の車速」の２つ条件を満たす場合に、「先行車両への追いつきシーン」であると判定し（ステップＳ１０２）、「先行車両への追いつきシーン」に対応する提示情報をＲＯＭから取得する（ステップＳ１０３）。
【００５０】
そして、制御装置１９０は、自車両の走行情報に基づいて、提示情報に含まれる各選択肢の提示態様を決定する（ステップＳ１０６）。たとえば、図３に示す例において、「先行車両への追いつきシーン」に対応する提示情報は、「先行車両への追いつきシーン」において自車両が実行可能な「追従する」や「追い越す」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を、以下のように決定することができる。
【００５１】
たとえば、制御装置１９０は、ドライバーの運転状態のうち、ドライバーの運転負荷に基づいて、「追従する」や「追い越す」などの選択肢の提示態様を決定することができる。たとえば、制御装置１９０は、ドライバーの運転負荷が所定の基準範囲よりも高い場合、あるいは、所定の基準範囲よりも低い場合には、ドライバーの運転負荷が所定の基準範囲内である場合に比べて、「追従する」の選択肢をドライバーが選択し易いように、各選択肢の提示態様を変更することができる。
【００５２】
なお、制御装置１９０は、たとえば、エアコン・カーオーディオなどの車載機器１４０がドライバーにより操作されている場合や、ドライバーがハンズフリー通話を行っている場合には、ドライバーの運転負荷が高いと判断することができる。また、制御装置１９０は、たとえば、自車単独での走行時間が長いほど、ドライバーの運転負荷が低いと判断することができる。
【００５３】
また、制御装置１９０は、自車両の走行状態のうち、ドライバーの走行履歴に基づいて、「追従する」や「追い越す」などの選択肢の提示態様を決定することができる。たとえば、制御装置１９０は、ドライバーの走行履歴に基づいて、ドライバーの運転傾向を判断し、ドライバーが追い越しを行わない傾向にある場合には、追い越しを行う傾向にある場合と比べて、「追従する」の選択肢をドライバーが選択し易いように、各選択肢の提示態様を変更することができる。
【００５４】
さらに、制御装置１９０は、自車両の走行状態のうち、目的地に向かうルートに基づいて、「追従する」や「追い越す」などの選択肢の提示態様を決定することができる。たとえば、制御装置１９０は、「追い越し」の選択肢を選択した場合に自車両が車線変更を行う方向が、目的地に向かうルートから離れる方向である場合には、「追い越す」の選択肢をドライバーが選択し難いように、各選択肢の提示態様を変更することができる。たとえば、制御装置１９０は、目的地に向かうために次の分岐点を左折する場合において、追い越しをする際に右側の車線に車線変更することとなる場合には、自車両が車線変更を行う方向が目的地に向かうルートから離れる方向となるため、「追い越す」の選択肢をドライバーが選択し難いように、各選択肢の提示態様を変更することができる。
【００５５】
また、制御装置１９０は、自車両の走行状態のうち、自車両の車速に基づいて、「追従する」や「追い越す」などの選択肢の提示態様を決定することができる。たとえば、自車両の車速が周辺車両の車速よりも遅い場合には、周辺車両が自車両の周囲を高速で走行しており、自車両が車線変更に必要なスペースを見つけられない可能性が高いので、「追従する」の選択肢をドライバーが選択し易いように、各選択肢の提示態様を変更することができる。
【００５６】
さらに、制御装置１９０は、自車両の走行状態のうち、自車両の設定車速に基づいて、「追従する」や「追い越す」などの選択肢の提示態様を決定することができる。たとえば、自車両が先行車両を自動で追従する際の走行速度を「低速」、「中速」、「高速」の３つの設定速度から選択することができる場合において、設定速度が先行車両の車速よりも遅い場合には、「追従する」の選択肢をドライバーが選択し易いように、各選択肢の提示態様を変更することができる。設定速度が先行車両の車速よりも遅い場合には、追い越しに時間がかかることが想定されるためである。
【００５７】
また、制御装置１９０は、自車両が走行する道路の状態のうち、道路の混雑度合に基づいて、「追従する」や「追い越す」などの選択肢の提示態様を決定することができる。たとえば、制御装置１９０は、道路の混雑度合が所定値以上である場合には、道路の混雑度合が所定値未満である場合と比べて、「追従する」の選択肢をドライバーが選択し易くなるように、各選択肢の提示態様を変更することができる。混雑度合の高い道路では、他車両が周囲を走行しており、自車両が車線変更に必要なスペースを見つけられない可能性が高いためである。
【００５８】
加えて、制御装置１９０は、自車両が走行する道路の状態のうち、自車両が走行する道路のレーン数に基づいて、「追従する」や「追い越す」などの選択肢の提示態様を決定することができる。たとえば、制御装置１９０は、自車両が走行する道路のレーン数が所定数未満である場合には、自車両が走行する道路のレーン数が所定数以上である場合と比べて、「追従する」の選択肢をドライバーが選択し易いように、各選択肢の提示態様を変更することができる。通行車両数が同じ場合、レーン数の多い道路では、各々のレーンにばらけて他車両が走っており、容易に車線変更スペースを見つけられることが想定されるが、レーン数の少ない道路では、他車は連なって走行しており、車線変更スペースを見つけにくいことが想定され、その分、先行車両を追い越す機会が少なくなることが想定されるためである。
【００５９】
さらに、制御装置１９０は、自車両が走行する道路の状態のうち、道路の種別に基づいて、「追従する」や「追い越す」などの選択肢の提示態様を決定することができる。たとえば、制御装置１９０は、自車両が走行する道路が地域の幹線道路である場合には、高速道路である場合と比べて、「追従する」の選択肢をドライバーが選択し易いように、各選択肢の提示態様を変更することができる。一般に、幹線道路は、高速道路に比べて規模が小さく、その分、追い越しの機会が少ないことが想定されるためである。
【００６０】
加えて、制御装置１９０は、自車両が走行する道路の状態のうち、道路の形状に基づいて、「追従する」や「追い越す」などの選択肢の提示態様を決定することができる。たとえば、自車両が走行する道路の形状がカーブである場合には、直線である場合に比べて、「追従する」の選択肢をドライバーが選択し易いように、各選択肢の提示態様を変更することができる。
【００６１】
さらに、制御装置１９０は、自車両が走行する道路の状態のうち、道路規制や標識に基づいて、「追従する」や「追い越す」などの選択肢の提示態様を決定することができる。たとえば、制御装置１９０は、追い越し禁止区間では、「追い越し」の選択肢をドライバーが選択し難いように、各選択肢の提示態様を変更することができる。また、制御装置１９０は、自車両の走行レーンが道路の右端もしくは左端のレーンである場合には、それよりも外側を走行することは考えにくいため、「追い越し」の選択肢をドライバーが選択し難いように、各選択肢の提示態様を変更することができる。
【００６２】
また、制御装置１９０は、周辺の環境のうち、天候に基づいて、「追従する」や「追い越す」などの選択肢の提示態様を決定することができる。たとえば、制御装置１９０は、雨の場合には、「追従する」の選択肢をドライバーが選択し易いように、各選択肢の提示態様を変更することができる。雨の場合は、見通しが悪いため、先行車両に追従する方が、ドライバーがより安心することが想定されるためである。
【００６３】
さらに、制御装置１９０は、周辺の環境のうち、時刻に基づいて、「追従する」や「追い越す」などの選択肢の提示態様を決定することができる。たとえば、制御装置１９０は、時刻が夜である場合には、「追従する」の選択肢をドライバーが選択し易いように、各選択肢の提示態様を変更することができる。夜の場合は、見通しが悪いため、先行車両に追従する方が、ドライバーがより安心することが想定されるためである。
【００６４】
このように、制御装置１９０は、ドライバーの運転状態、自車両の走行状態、自車両が走行する道路の状態、および自車両の周辺の環境などの走行状態に基づいて、「先行車両への追いつきシーン」において自車両が実行可能な「追従する」や「追い越す」などの各選択肢の提示態様を決定することができる。
【００６５】
なお、選択肢の提示態様を変更する方法は特に限定されない。たとえば、制御装置１９０は、選択肢を点滅し、選択肢をより目立つ色彩や色合いに変更し、選択肢の表示サイズを大きくし、選択肢を選択し易い位置に配置することなどにより、ドライバーが選択肢を選択し易いように、選択肢の提示態様を変更することができる。また、制御装置１９０は、図３に示すように、選択肢をグレーで表示するなどにより、ドライバーが選択肢を選択し難いように、選択肢の提示態様を変更することもできる。また、制御装置１９０は、複数の選択肢のうち一方の選択肢を選択し易くすることで、他方の選択肢を相対的に選択し難くすることもでき、反対に、複数の選択肢のうち一方の選択肢を選択し難くすることで、他方の選択肢を相対的に選択し易くすることもできる。なお、他の提示情報についても、同様に、ドライバーが選択肢を選択し易いよう（あるいは選択し難いように）に、各選択肢の提示態様を変更することができる。
【００６６】
続いて、「先行車両の追いつきシーン」において自車両が実行可能な「追従する」や「追い越す」などの複数の選択肢の中から、最初に選択される選択肢（デフォルト選択肢）を決定する方法について説明する。制御装置１９０は、ドライバーの運転状態、自車両の走行状態、自車両が走行する道路の状態、および周辺の環境などの走行状態に基づいて、「追従する」や「追い越す」などの選択肢の中から、デフォルト選択肢を決定する（ステップＳ１０７）。
【００６７】
具体的には、制御装置１９０は、ドライバーの運転状態のうち、ドライバーの運転負荷に基づいて、「追従する」や「追い越す」などの選択肢の中から、デフォルト選択肢を決定することができる。たとえば、制御装置１９０は、ドライバーの運転負荷が所定の基準範囲よりも高い場合、あるいは、ドライバーの運転負荷が所定の基準範囲よりも低い場合に、「追従する」の選択肢をデフォルト選択肢として決定することができる。ドライバーの運転負荷が所定の基準範囲よりも高い場合、あるいは、ドライバーの運転負荷が所定の基準範囲よりも低い場合には、「追従する」の選択肢を選択することで、運転者の安心感をより高めることができるためである。
【００６８】
また、制御装置１９０は、自車両の走行状態のうち、ドライバーの追い越し履歴に基づいて、「追従する」や「追い越す」などの選択肢の中から、デフォルト選択肢を決定することができる。たとえば、ドライバーが過去１時間の運転で頻繁に追い越しを選択している場合には、ドライバーは先を急いでいることが想定できる。このような場合に、制御装置１９０は、「追い越し」の選択肢をデフォルト選択肢として決定することができる。 
【００６９】
さらに、制御装置１９０は、自車両の走行状態のうち、目的地に向かうルートに基づいて、「追従する」や「追い越す」などの選択肢の中から、デフォルト選択肢を決定することができる。たとえば、目的地に向かうために次の分岐点を右折する必要がある場合には、右側のレーンに車線変更して先行車両を追い越した後に、そのままのレーンで分岐点を右折して、目的地に向かうことができる。このような場合、制御装置１９０は、「追い越し」の選択肢をデフォルト選択肢として決定することができる。
【００７０】
加えて、制御装置１９０は、自車両の走行状態のうち、自車両の車速に基づいて、「追従する」や「追い越す」などの選択肢の中から、デフォルト選択肢を決定することができる。たとえば、制御装置１９０は、自車両の車速が所定速度以上である場合には、「追い越し」の選択肢をデフォルト選択肢として決定することができる。自車両の車速が速い場合には、いずれ先行車両に追い付くこととなり、先行車両に近づいた際に、ブレーキをかけて減速する必要が生じる。そのため、「追い越し」の選択肢をデフォルト選択肢とすることで、早めの車線変更をドライバーに促すことができる。
【００７１】
また、制御装置１９０は、自車両が走行する道路の状態のうち、道路の混雑度合に基づいて、「追従する」や「追い越す」などの選択肢の中から、デフォルト選択肢を決定することができる。たとえば、制御装置１９０は、自車両が走行する道路の混雑度合が所定値以下である場合には、「追い越し」の選択肢をデフォルト選択肢として決定することができる。比較的空いている道路では、車線変更を行い易いためである。 
【００７２】
さらに、制御装置１９０は、自車両が走行する道路の状態のうち、自車両が走行している走行レーンに基づいて、「追従する」や「追い越す」などの選択肢の中から、デフォルト選択肢を決定することができる。たとえば、制御装置１９０は、自車両が走行している走行レーンが追い越しレーンである場合には、すでに追い越し状態であるため、「追従する」の選択肢をデフォルト選択肢として決定することができる。 
【００７３】
また、制御装置１９０は、自車両が走行する道路の状態のうち、自車両が走行している道路の種別に基づいて、「追従する」や「追い越す」などの選択肢の中から、デフォルト選択肢を決定することができる。たとえば、制御装置１９０は、自車両が走行している道路の種別が、比較的規模の大きい道路（たとえば、幹線道路や高速道路）である場合には、「追い越し」の選択肢をデフォルト選択肢として決定することができる。比較的規模の大きい道路では、追い越しが比較的容易に行い易いためである。
【００７４】
さらに、制御装置１９０は、自車両が走行する道路の状態のうち、自車両が走行している道路の形状に基づいて、「追従する」や「追い越す」などの選択肢の中から、デフォルト選択肢を決定することができる。たとえば、自車両が走行している道路の形状がカーブである場合には、ドライバーは、カーブの膨らみを利用して追い越しを行うことが想定できる。そのため、制御装置１９０は、たとえば、提示情報が「右に車線変更して追い越す」の選択肢を有している場合において、カーブが右に膨らんだカーブである場合には、「右に車線変更して追い越す」の選択肢をデフォルト選択肢として決定することができる。
【００７５】
加えて、制御装置１９０は、自車両が走行する道路の状態のうち、自車両が走行している道路のレーン数に基づいて、「追従する」や「追い越す」などの選択肢の中から、デフォルト選択肢を決定することができる。たとえば、制御装置１９０は、同じ車両通行量であるならば、自車両が走行している道路のレーン数が所定数以上である場合には、レーン数が所定数未満である場合に比べて、他車がばらけて走っており、車線変更がより容易となると考えられるため、「追い越す」の選択肢をデフォルト選択肢として決定することができる。
【００７６】
また、制御装置１９０は、周辺の環境のうち、天候に基づいて、「追従する」や「追い越す」などの選択肢の中から、デフォルト選択肢を決定することができる。たとえば、雨の場合には、晴れの場合に比べて見通しが悪いため、ドライバーが車線変更を望まないことが想定される。そこで、制御装置１９０は、雨の場合には、「追従する」の選択肢をデフォルト選択肢として決定することができる。
【００７７】
さらに、制御装置１９０は、周辺の環境のうち、時刻に基づいて、「追従する」や「追い越す」などの選択肢の中から、デフォルト選択肢を決定することができる。たとえば、時刻が夜である場合には、昼の場合に比べて見通しが悪いため、ドライバーが車線変更を望まないことが想定される。そこで、制御装置１９０は、雨の場合には、「追従する」の選択肢をデフォルト選択肢として決定することができる。
【００７８】
このように、「先行車両への追いつきシーン」において、制御装置１９０は、ドライバーの運転状態、自車両の走行状態、自車両が走行する道路の状態、および自車両の周辺の環境などの走行状態に基づいて、自車両が実行可能な「追従する」や「追い越す」などの複数の選択肢の中から、最初に選択されるデフォルト選択肢を決定することができる。
【００７９】
続いて、「先行車両への追いつきシーン」における提示条件の決定方法について説明する。制御装置１９０は、図２に示すテーブルを参照して、「先行車両への追いつきシーン」における提示情報の提示条件を取得する。たとえば、図２に示す例において、制御装置１９０は、「先行車両への追いつきシーン」における提示情報の提示条件として、「先行車両に対するＴＴＣがＳ１以下」を取得する。さらに、制御装置１９０は、ドライバーの運転状態、自車両の走行状態、自車両が走行する道路の状態、および自車両周辺の環境などの走行情報に基づいて、取得した提示条件を変更する（ステップＳ１０８）。
【００８０】
たとえば、制御装置１９０は、ドライバーの運転状態のうち、ドライバーの運転負荷に応じて、提示条件を変更することができる。たとえば、制御装置１９０は、ドライバーの運転負荷が所定の基準範囲よりも高い場合には、ドライバーの運転負荷が所定の基準範囲内である場合と比べて、提示情報がより早いタイミングで提示されるように、提示条件を変更することができる。たとえば、この場合、制御装置１９０は、「先行車両に対するＴＴＣがＳ１以下」との提示条件を、「先行車両に対するＴＴＣがＳ１’（Ｓ１＜Ｓ１’）以下」との提示条件に変更することができる。ドライバーの運転負荷が所定の基準範囲よりも高い場合には、注意すべき対象が多く、追い越しの判断を行うためにより長い時間を要することが想定される。そのため、早めに提示情報を提示することで、ドライバーに余裕が生まれ、ドライバーをより安心させることが可能となる。また、制御装置１９０は、ドライバーの運転負荷が所定の基準範囲よりも低い場合にも、ドライバーの運転負荷が所定の基準範囲内である場合と比べて、提示情報がより早いタイミングで提示されるように、提示条件を変更することができる。ドライバーの運転負荷が所定の基準範囲よりも低い場合には、ドライバーは１つのことに注意を向けており、提示情報に気付くのにより長い時間を要することが予想されるため、早めに提示情報を提示することで、ドライバーの安心感を高めることができる。 
【００８１】
また、制御装置１９０は、自車両の走行状態のうち、ドライバーの走行履歴に基づいて、提示条件を変更することができる。たとえば、制御装置１９０は、所定時間前から現時点までの間に、自車両が先行車両を追い越した度合が、所定の基準値より高い場合には、ドライバーが先を急いでいることが想定されるため、提示情報がより早いタイミングで提示されるように、提示条件を変更することができる。
【００８２】
さらに、制御装置１９０は、自車両の走行状態のうち、目的地までの距離に基づいて、提示条件を変更することができる。たとえば、制御装置１９０は、目的地までの距離が所定距離以上である場合には、提示情報がより早いタイミングで提示されるように、提示条件を変更することができる。目的地までの距離が所定距離以上である場合に、早めに提示情報を提示することで、目的地の遠さによるドライバーの負担感を軽減することができるためである。
【００８３】
また、制御装置１９０は、自車両の走行状態のうち、自車両の車速に基づいて、提示条件を変更することができる。たとえば、制御装置１９０は、自車両の車速が周辺車両の車速よりも速い場合には、提示情報がより早いタイミングで提示されるように、提示条件を変更することができる。自車両の車速が速い場合には、ドライバーが先を急いでいることが想定されるとともに、車線変更を行うためのスペースの選択肢が増える。そのため、このような場合に、提示情報をより早いタイミングで提示することで、早く追い越しを行いたいドライバーの意思に応じることが可能となる。
【００８４】
加えて、制御装置１９０は、自車両の走行状態のうち、先行車両に対する相対速度に基づいて、提示条件を変更することができる。たとえば、制御装置１９０は、先行車両に対する相対速度が所定速度以上である場合には、提示情報がより早いタイミングで提示されるように、提示条件を変更することができる。自車両の先行車両に対する相対速度が速い場合に、提示情報をより早いタイミングで提示することで、その分、自車両が車線変更をより早いタイミングで行うことができ、その結果、先行車両に対するドライバーの安心感を高めることができる。
【００８５】
また、制御装置１９０は、自車両が走行する道路の状態のうち、道路の混雑度合に基づいて、提示条件を変更することができる。たとえば、制御装置１９０は、混雑度合が所定値以上である場合には、提示情報がより早いタイミングで提示されるように、提示条件を変更することができる。これにより、道路が混雑している場合でも、ドライバーに余裕が生まれ、ドライバーの安心感を高めることができる。
【００８６】
さらに、制御装置１９０は、自車両が走行する道路の状態のうち、自車両が走行する走行レーンに基づいて、提示条件を変更することができる。たとえば、制御装置１９０は、自車両が走行している道路が通常レーンと追い越しレーンとを有し、自車両が通常レーンを走行している場合には、自車両が追い越しレーンを走行している場合と比べて、提示情報がより早いタイミングで提示されるように、提示条件を変更することができる。これは、通常レーンでは、追い越しレーンと比べて、先行車両が遅い速度で走行している可能性が高く、早めに提示情報を提示することで、先を急ぎたいドライバーの意思に応じることが可能となるためである。
【００８７】
また、制御装置１９０は、自車両が走行する道路の状態のうち、自車両が走行する道路の種別に基づいて、提示条件を決定することができる。たとえば、制御装置１９０は、比較的規模の大きい道路（たとえば、幹線道路や高速道路）では、比較的規模の小さい道路（たとえば、細街路や一般道路）と比べて、提示情報がより早いタイミングで提示されるように、提示条件を変更することができる。ここで、同じ車両通行量であれば、比較的規模の大きい道路では、規模の小さい道路に比べ、他車がばらけて走行している可能性が高いため、車線変更の自由度が高いと考えられる。そのため、比較的規模の大きい道路を走行する場合には、提示情報をより早めに提示することで、ユーザに余裕をもって追い越しを行わせることが可能となる。同様に、制御装置１９０は、自車両が走行する道路のレーン数が所定数以上である場合にも、提示情報がより早いタイミングで提示されるように、提示条件を変更することができる。
【００８８】
さらに、制御装置１９０は、自車両が走行する道路の状態のうち、自車両が走行する道路の形状に基づいて、提示条件を決定することができる。たとえば、制御装置１９０は、自車両が走行する道路の形状がカーブである場合には、直線である場合に比べて、提示情報をより早いタイミングで提示するように、提示条件を変更することができる。自車両が走行する道路の形状がカーブである場合には、直線である場合に比べて、ドライバーは運転に注意をより向けている可能性が高いため、その分、選択肢の選択に時間を要することが想定されるためである。
【００８９】
また、制御装置１９０は、自車両が走行する道路の状態のうち、自車両の走行レーンの幅に基づいて、提示条件を決定することができる。たとえば、制御装置１９０は、自車両の走行レーンの幅が所定距離以上である場合には、自車両の走行レーンの幅が所定距離未満である場合と比べて、提示情報をより早いタイミングで提示するように、提示条件を変更する構成とすることができる。自車両の走行レーンの幅が所定距離以上である場合には、自車両の走行レーンの幅が所定距離未満である場合と比べて、同じ横速度であれば車線変更に要する時間が長くなることが想定されるためである。
【００９０】
さらに、制御装置１９０は、周辺の環境のうち、天候に基づいて、提示条件を決定することができる。たとえば、制御装置１９０は、雨の場合には、提示情報をより早いタイミングで提示するように、提示条件を変更する構成とすることができる。雨の場合には、晴れの場合に比べて、ドライバーは運転を慎重に行いたいと考えるものと想定されるため、提示情報を早めに提示することで、ドライバーの安心感を高めることができる。
【００９１】
また、制御装置１９０は、周辺の環境のうち、現在の時刻に基づいて、提示条件を決定することができる。たとえば、制御装置１９０は、時刻が夜である場合には、提示情報をより早いタイミングで提示することができる。夜で周囲が暗い場合には、提示情報をより早いタイミングで提示することで、ドライバーに余裕が生まれ、ドライバーの安心感を高めることができる。
【００９２】
このように、「先行車両の追いつきシーン」において、制御装置１９０は、ドライバーの運転状態、自車両の走行状態、自車両が走行する道路の状態、および自車両の周辺の環境などの走行状態に基づいて、「先行車両の追いつきシーン」における提示条件を決定することができる。
【００９３】
そして、制御装置１９０は、提示条件が決定すると、決定した提示条件を満たすか否かを判断し（ステップＳ１０８）、提示条件を満たす場合には、上述した選択肢の提示態様において、上述したデフォルト選択肢が選択された状態で、提示情報をドライバーに提示する（ステップＳ１０９）。そして、制御装置１９０は、提示情報に対してドライバーが応答情報を入力した場合には（ステップＳ１１１＝Ｙｅs）、ドライバーが選択した選択肢に基づいて、自車両の走行を制御する（ステップＳ１１３）。
【００９４】
また、制御装置１９０は、ドライバーが応答情報を入力しない場合には、待機解除条件を満たすか否かを判断する（ステップＳ１１２）。たとえば、図２に示す例においては、「先行車両の追いつきシーン」における待機解除条件が「先行車両に対するＴＴＣがＳ２（Ｓ１＞Ｓ２）以下」となっている。この場合、制御装置１９０は、自車両が「先行車両に対するＴＴＣがＳ２（Ｓ１＞Ｓ２）以下」との待機解除条件を満たすか否かを判断し、「先行車両に対するＴＴＣがＳ２（Ｓ１＞Ｓ２）以下」を満たす場合には、デフォルト選択肢に基づいて、自車両の走行を制御する（ステップＳ１１３）。
【００９５】
このように、「先行車両への追いつきシーン」において、制御装置１９０は動作する。
【００９６】
次に、「料金所に近づくシーン」における制御装置１９０の動作について説明する。たとえば、図２に示す例において、制御装置１９０は、自車両の走行情報に基づいて、自車両が「進路前方の料金所への到達時間が６０秒未満」との判定条件を満たすか否かを判断し、この判定条件を満たす場合に、「料金所に近づくシーン」であると判定し（ステップＳ１０２）、「料金所に近づくシーン」に対応する提示情報をＲＯＭから取得する（ステップＳ１０３）。なお、図５は、「料金所に近づくシーン」において、提示装置１５０であるディスプレイの画面に表示される提示情報の一例を示す図である。
【００９７】
次いで、制御装置１９０は、自車両の走行情報に基づいて、提示情報に含まれる各選択肢の提示態様を決定する（ステップＳ１０６）。たとえば、図５に示す例において、「料金所に近づくシーン」に対応する提示情報は、「料金所のどのブースに向かいますか？」などのメッセージ情報とともに、「料金所に近付くシーン」において、自車両が進入可能な料金所のブースに対応する「１」、「２」、「３」、「４」の選択肢を有している。この場合、制御装置１９０は、ドライバーの運転状態、自車両の走行状態、自車両が走行する道路の状態、および自車両周辺の環境などの走行情報に基づいて、各選択肢の提示態様を、以下のように決定することができる。
【００９８】
たとえば、制御装置１９０は、ドライバーの運転状態のうち、ドライバーの運転負荷に基づいて、各ブースに対応する選択肢の提示態様を決定することができる。たとえば、制御装置１９０は、ドライバーの運転負荷が所定の基準範囲よりも高い場合、あるいは、所定の基準範囲よりも低い場合には、ドライバーの運転負荷が所定の基準範囲内である場合に比べて、自車両の走行レーンから近いブース（たとえば自車両の走行レーンからの距離が所定距離以内のブース）に対応する選択肢をドライバーが選び易いように、各ブースに対応する選択肢の提示態様を変更することができる。これは、ドライバーの運転負荷が所定の基準範囲よりも高い場合、あるいは、所定の基準範囲よりも低い場合に、ドライバーが選択し易い選択肢を、ドライバーが選択する可能性の高い選択肢に絞ることで、その分だけ、ドライバーに余裕が生まれ、ドライバーの安心感を高めることができるためである。
【００９９】
また、制御装置１９０は、自車両の走行状態のうち、ドライバーの走行履歴に基づいて、各ブースに対応する選択肢の提示態様を変更することができる。たとえば、制御装置１９０は、ドライバーの走行履歴に基づいて、ドライバーが利用した頻度が少ないブース（たとえば料金所の両端に配置されたブースなど）を特定することで、ドライバーが利用する傾向が少ないブースに対応する選択肢をドライバーが選択し難いように、各選択肢の提示態様を変更することができる。
【０１００】
さらに、制御装置１９０は、自車両の走行状態のうち、目的地に向かう方向に基づいて、各ブースに対応する選択肢の提示態様を決定することができる。たとえば、制御装置１９０は、料金所のブースのうち、目的地に向かうルートから離れた位置にあるブースに対応する選択肢をユーザが選択し難いように、各ブースに対応する選択肢の提示態様を変更することができる。たとえば、制御装置１９０は、目的地に向かうため、料金所を通過した後に右に分岐する道路が走行する予定である場合には、料金所のブースのうち、中央よりも左側に配置されたブースに対応する選択肢をユーザが選択し難いように、各選択肢の提示態様を変更することができる。
【０１０１】
また、制御装置１９０は、自車両の走行状態のうち、自車両の車速に応じて、各ブースに対応する選択肢の提示態様を決定することができる。たとえば、自車両の車速が周辺車両の車速よりも遅い場合には、自車両が周辺車両よりも遅く料金所のブースに到達することが想定され、また、周囲車両が自車両よりも先にブースに進入してしまうため、ブース周辺の状況が刻々と変化し、ドライバーの運転負荷が高くなることが想定される。そこで、このような場合に、制御装置１９０は、自車両の進路から近いブースに対応する選択肢をドライバーが選択し易いように、各選択肢の提示態様を変更することができる。これにより、ドライバーを運転に集中させることが可能となる。
【０１０２】
さらに、制御装置１９０は、自車両が走行する道路の状態のうち、ブース付近の混雑度合に基づいて、各ブースに対応する選択肢の提示態様を変更することができる。たとえば、制御装置１９０は、混雑度合が所定値未満のブースに対応する選択肢をドライバーが選択し易いように、各選択肢の提示態様を変更することができる。混雑度合の低いブースを利用させることで、ドライバーに余裕が生まれ、ドライバーの安心感を高めることができるためである。
【０１０３】
また、制御装置１９０は、自車両が走行する道路の状態のうち、料金所のブースの数に基づいて、各ブースに対応する選択肢の提示態様を変更することができる。たとえば、制御装置１９０は、ブースの数が所定数以上である場合には、中央から離れたブースをドライバーが選択し難いように、各選択肢の提示態様を変更することができる。これにより、料金所のブースの数が多い場合でも、ドライバーが選択しやすくすることができる。
【０１０４】
さらに、制御装置１９０は、自車両が走行する道路の状態のうち、自車両が走行する道路の種別に基づいて、各ブースに対応する選択肢の提示態様を変更することができる。たとえば、制御装置１９０は、自車両が走行する道路の規模が比較的大きい場合には、ブースの数も多くなるため、自車両の進路から外れたブースに対応する選択肢をドライバーが選択し難いように、各選択肢の提示態様を変更することができる。これにより、料金所においてブースの数が多い場合でも、ドライバーが選択し易い選択肢を絞ることで、ドライバーがどの選択肢を選択するか迷ってしまうことを軽減し、ドライバーの安心感を高めることができる。
【０１０５】
加えて、制御装置１９０は、自車両が走行する道路の状態のうち、自車両が走行する道路の形状に基づいて、各ブースに対応する選択肢の提示態様を変更することができる。たとえば、制御装置１９０は、自車両が走行する道路の形状がカーブである場合には、直線である場合に比べて、自車両の進路から外れたブースに対応する選択肢をドライバーが選択し難いように、各選択肢の提示態様を変更することができる。直線に比べて、カーブでは、ドライバーが運転に注意をより向けている可能性が高く、選択肢の選択に時間がかかる可能性があるためである。
【０１０６】
また、制御装置１９０は、周辺の環境のうち、天候に基づいて、各ブースに対応する選択肢の提示態様を決定することができる。たとえば、制御装置１９０は、雨の場合には、自車両の進路に近いブースに対応する選択肢をドライバーが選択し易いように、各選択肢の提示態様を変更することができる。雨の場合は、見通しが悪いため、自車両が比較的容易に進入することができるブースを選択し易くすることで、ドライバーに安心感を与えることができるためである。
【０１０７】
さらに、制御装置１９０は、周辺の環境のうち、時刻に基づいて、各ブースに対応する選択肢の提示態様を決定することができる。たとえば、制御装置１９０は、時刻が夜である場合は、自車両の進路に近いブースに対応する選択肢をドライバーが選択し易いように、各選択肢の提示態様を変更することができる。夜では、暗く見通しが悪いため、自車両が比較的容易に進入することができるブースを選択し易くすることで、ドライバーに安心感を与えることができるためである。
【０１０８】
このように、制御装置１９０は、ドライバーの運転状態、自車両の走行状態、自車両が走行する道路の状態、および自車両の周辺の環境などの走行状態に基づいて、「料金所に近づくシーン」において自車両が進入可能な、料金所の各ブースに対応する選択肢の提示態様を決定することができる。
【０１０９】
続いて、「料金所に近づくシーン」において自車両が進入可能な各ブースに対応する選択肢の中から、最初に選択される選択肢（デフォルト選択肢）を決定する方法について説明する。制御装置１９０は、ドライバーの運転状態、自車両の走行状態、自車両が走行する道路の状態、および周辺の環境などの走行状態に基づいて、各ブースに対応する選択肢の中から、デフォルト選択肢を決定する（ステップＳ１０７）。
【０１１０】
具体的には、制御装置１９０は、ドライバーの運転状態のうち、ドライバーの運転負荷に基づいて、各ブースに対応する選択肢の中から、デフォルト選択肢を決定することができる。たとえば、制御装置１９０は、ドライバーの運転負荷が所定の基準範囲よりも高い場合、あるいは、ドライバーの運転負荷が所定の基準範囲よりも低い場合には、自車両の進路から最も近いブースに対応する選択肢をデフォルト選択肢として決定することができる。
【０１１１】
また、制御装置１９０は、自車両の走行状態のうち、ブースの利用履歴に基づいて、各ブースに対応する選択肢の中から、デフォルト選択肢を決定することができる。たとえば、制御装置１９０は、ブースの利用履歴に基づいて各ブースの利用頻度を求め、ドライバーの利用頻度が最も高いブースに対応する選択肢をデフォルト選択肢として決定することができる。たとえば、ドライバーが通勤で料金所を利用している場合に、ドライバーが利用する頻度が最も高いブースをデフォルト選択肢に選択することで、ドライバーの利便性を向上することができる。
【０１１２】
さらに、制御装置１９０は、自車両の走行状態のうち、目的地に向かうルートに基づいて、各ブースに対応する選択肢の中から、デフォルト選択肢を決定することができる。たとえば、料金所を通過した後、目的地に向かうために、右方向に分岐したルートを進行する必要がある場合には、制御装置１９０は、中央よりも右側に配置されたブースに対応する選択肢をデフォルト選択肢として決定することができる。これにより、料金所を通過した後に目的地に向かい易くなり、また、ドライバーの安心感を高めることもできる。
【０１１３】
加えて、制御装置１９０は、自車両の走行状態のうち、自車両の車速に基づいて、各ブースに対応する選択肢の中から、デフォルト選択肢を決定することができる。たとえば、制御装置１９０は、自車両の車速が所定速度以上である場合には、自車両の進路から最も近いブースに対応する選択肢をデフォルト選択肢として決定することができる。自車両の車速が速い場合には、自車両の進路から離れたブースに向かう場合には、減速などを行う必要があるのに対して、自車両の進路から近いブースに進入する場合には、比較的容易であり、ドライバーに安心感を与えることができるためである。 
【０１１４】
また、制御装置１９０は、自車両が走行する道路の状態のうち、ブース付近の混雑度合に基づいて、各ブースに対応する選択肢の中から、デフォルト選択肢を決定することができる。たとえば、制御装置１９０は、混雑度合が所定値以下のブースに対応する選択肢をデフォルト選択肢として決定することができる。なお、制御装置１９０は、前方カメラでブース周辺の様子や混雑度合を示す電光掲示板を撮影し画像処理することで、ブース付近の混雑度合を判断することができる。また、制御装置１９０は、通信装置１７０が路車間通信により受信したブース付近の混雑度合の情報に基づいて、ブース付近の混雑度合を判断することもできる。さらに、制御装置１９０は、通信装置１７０が車々間通信により受信した料金所で待っている他車両の速度を計測し、速度の遅い他車両が連なっているかどうかを判断することで、ブース付近の混雑度合を判断することもできる。
【０１１５】
さらに、制御装置１９０は、自車両が走行する道路の状態のうち、自車両が走行する走行レーンに基づいて、各ブースに対応する選択肢の中から、デフォルト選択肢を決定することができる。たとえば、制御装置１９０は、自車両の走行レーンから最も近いブースに対応する選択肢をデフォルト選択肢として決定することができる。自車両の走行レーンから最も近いブースには自車両が最短で到達することができるため、ドライバーが運転を得意ではないと感じる場合でも、ドライバーの安心感を高めることができる。
【０１１６】
また、制御装置１９０は、自車両が走行する道路の状態のうち、自車両が走行している道路の種別に基づいて、各ブースに対応する選択肢の中から、デフォルト選択肢を決定することができる。たとえば、制御装置１９０は、自車両が走行している道路の種別が、比較的規模の大きい道路（たとえば、幹線道路や高速道路）である場合には、中央付近のブースに対応する選択肢をデフォルト選択肢として決定することができる。これは、規模の大きな道路では料金所ブースの数も多く、ドライバーが選択がしやすいよう中央を選択しておくためである。  
【０１１７】
さらに、制御装置１９０は、自車両が走行する道路の状態のうち、自車両が走行している道路の形状に基づいて、各ブースに対応する選択肢の中から、デフォルト選択肢を決定することができる。たとえば、制御装置１９０は、自車両が走行している道路の形状がカーブである場合には、カーブの膨らみを利用してブースに到達できるように、カーブの外周側のブースに対応する選択肢をデフォルト選択肢として決定することができる。これにより、ドライバーに加わる遠心力の変化を軽減することができるため、ドライバーの乗り心地を向上することができる。
【０１１８】
加えて、制御装置１９０は、自車両が走行する道路の状態のうち、自車両が走行している道路のレーン数に基づいて、各ブースに対応する選択肢の中から、デフォルト選択肢を決定することができる。たとえば、制御装置１９０は、自車両が走行している道路のレーン数が所定数以上である場合には、中央付近のブースに対応する選択肢をデフォルト選択肢として決定することができる。
【０１１９】
さらに、制御装置１９０は、周辺の環境のうち、天候に基づいて、各ブースに対応する選択肢の中から、デフォルト選択肢を決定することができる。たとえば、制御装置１９０は、雨の場合には、自車両の進路から最も近いブースに対応する選択肢をデフォルト選択肢として決定することができる。雨の場合には、晴れの場合に比べて見通しが悪いため、ほぼ直進することで進入できるブースをデフォルトに設定することで、ドライバーの安心感を向上することができる。また、同様に、時刻が夜の場合には、自車両の進路から最も近いブースに対応する選択肢をデフォルト選択肢として決定することもできる。
【０１２０】
このように、「料金所へ近づくシーン」において、制御装置１９０は、ドライバーの運転状態、自車両の走行状態、自車両が走行する道路の状態、および自車両の周辺の環境などの走行状態に基づいて、自車両が進入可能な各ブースに対応する複数の選択肢の中から、最初に選択されるデフォルト選択肢を決定することができる。
【０１２１】
続いて、「料金所へ近づくシーン」における提示条件の決定方法について説明する。制御装置１９０は、図２に示すテーブルを参照して、「料金所へ近づくシーン」における提示情報の提示条件を取得する。たとえば、図２に示す例において、制御装置１９０は、「料金所に近づくシーン」における提示情報の提示条件として、「料金所への到達時間がＳ３以下」を取得する。さらに、制御装置１９０は、ドライバーの運転状態、自車両の走行状態、自車両が走行する道路の状態、および自車両周辺の環境などの走行情報に基づいて、取得した提示条件を変更する（ステップＳ１０８）。
【０１２２】
具体的には、制御装置１９０は、「料金所に近づくシーン」において、「先行車両への追いつきシーン」と同様に、ドライバーの運転負荷、目的地までの距離、自車両が走行するレーン、自車両が走行している道路の形状、天候、および時刻に基づいて、提示条件を決定することができる。加えて、「料金所に近づくシーン」において、制御装置１９０は、以下のように提示条件を決定することができる。
【０１２３】
すなわち、制御装置１９０は、自車両の走行状態のうち、ドライバーの走行履歴に基づいて、提示条件を決定することができる。たとえば、制御装置１９０は、自車両が通過しようとする料金所をドライバーが過去に利用した経験が少ない場合には、提示情報がより早いタイミングで提示されるように、提示条件を変更することができる。これにより、ドライバーに余裕が生まれ、ドライバーの安心感を高めることができる。
【０１２４】
また、制御装置１９０は、自車両の走行状態のうち、自車両の車速に基づいて、提示条件を決定することができる。たとえば、自車両の車速が周辺車両の車速よりも速い場合には、自車両が周辺車両よりも先にブースに到達することができるため、自車両が複数のブースを選択することができる可能性は高くなる。この場合、ドライバーが多くのブースの中から１のブースに対応する選択肢を選択する負担が増えるため、制御装置１９０は、提示情報がより早いタイミングで提示されるように、提示条件を変更する。これにより、ドライバーの安心感を向上させることができる。
【０１２５】
さらに、制御装置１９０は、自車両が走行する道路の状態のうち、料金所の混雑度合に基づいて、提示条件を決定することができる。具体的には、制御装置１９０は、料金所の混雑度合が所定値以上である場合には、提示情報がより早いタイミングで提示されるように、提示条件を変更することができる。これにより、ドライバーは余裕をもってブースに進むことができる。
【０１２６】
また、制御装置１９０は、自車両が走行する道路の状態のうち、自車両が走行する道路の種別に基づいて、提示条件を決定することができる。たとえば、制御装置１９０は、自車両が比較的規模の大きい道路（たとえば幹線道路や高速道路）を走行している場合には、比較的規模の小さい道路（たとえば細街路や一般道路）を走行している場合と比べて、提示情報がより早いタイミングで提示されるように、提示条件を変更することができる。比較的規模の大きい道路ではブースの数が多くなる傾向にあるため、提示情報をより早いタイミングで提示することで、ドライバーは余裕をもっていずれか１つの選択肢を選択することができる。同様に、制御装置１９０は、自車両が走行する道路のレーン数に基づいて、提示条件を決定することもできる。
【０１２７】
このように、「料金所に近づくシーン」において、制御装置１９０は、ドライバーの運転状態、自車両の走行状態、自車両が走行する道路の状態、および自車両の周辺の環境などの走行状態に基づいて、「料金所に近づくシーン」における提示条件を決定することができる。
【０１２８】
そして、制御装置１９０は、自車両が提示条件を満たしたタイミングで、上述した選択肢の提示態様において、上述したデフォルト選択肢が選択された状態で、提示情報をドライバーに提示する（ステップＳ１０９）。そして、制御装置１９０は、提示情報に対してドライバーが応答情報を入力した場合には（ステップＳ１１１＝Ｙｅs）、ドライバーが選択した選択肢に基づいて、自車両の走行を制御する（ステップＳ１１３）。また、「料金所に近づくシーン」において、ドライバーが応答情報を入力しない場合には、制御装置１９０は、図２に示すように、たとえば、自車両が「料金所への到達時間がＳ４（Ｓ３＞Ｓ４）以下」との待機解除条件を満たすか否かを判断し、この待機解除条件を満たした場合に、デフォルト選択肢に基づいて、自車両の走行を制御する（ステップＳ１１３）。
【０１２９】
このように、「料金所に近づくシーン」において、制御装置１９０は動作する。
【０１３０】
次に、「合流地点に近づくシーン」における制御装置１９０の動作について説明する。たとえば、図２に示す例において、制御装置１９０は、自車両の走行情報に基づいて、自車両が「進路前方の合流地点への到達時間が６０秒未満」との判定条件を満たすか否かを判断し、この判定条件を満たす場合に、「合流地点に近づくシーン」であると判定し（ステップＳ１０２）、「合流地点に近づくシーン」に対応する提示情報を取得する（ステップＳ１０３）。なお、図６は、「合流地点に近づくシーン」において、提示装置１５０であるディスプレイの画面に表示される提示情報の一例を示す図である。
【０１３１】
そして、制御装置１９０は、自車両の走行情報に基づいて、提示情報に含まれる各選択肢の提示態様を決定する（ステップＳ１０６）。たとえば、図６に示す例において、「合流地点に近づくシーン」に対応する提示情報は、「前方で合流しますがどうしますか？」などのメッセージ情報とともに、「合流地点に近づくシーン」において自車両が実行可能な「左に車線変更」、「そのまま走行」、「右に車線変更」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定することができる。
【０１３２】
たとえば、制御装置１９０は、自車両の走行状態のうち、自車両周辺に存在する他車両や障害物に基づいて、「左に車線変更」、「そのまま走行」、「右に車線変更」などの選択肢の提示態様を決定することができる。たとえば、制御装置１９０は、自車両の側方に他車両が存在する場合や、自車両の側方に壁や縁石などの障害物が存在する場合には、他車両や障害物が存在する方向への車線変更に対応する選択肢を、ドライバーが選択し難いように、各選択肢の提示態様を決定することができる。
【０１３３】
また、制御装置１９０は、自車両が走行する道路の状態のうち、道路規制や標識に基づいて、「左に車線変更」、「そのまま走行」、「右に車線変更」などの選択肢の提示態様を決定することができる。たとえば、制御装置１９０は、追い越し禁止区間では、「右に車線変更」の選択肢をドライバーが選択し難いように、各選択肢の提示態様を決定することができる。
【０１３４】
さらに、制御装置１９０は、ドライバーの運転状態、自車両の走行状態、自車両が走行する道路の状態、および周辺の環境などの走行状態に基づいて、「合流地点に近づくシーン」において自車両が実行可能な「左に車線変更」、「そのまま走行」、「右に車線変更」などの選択肢の中から、デフォルト選択肢を決定する（ステップＳ１０７）。
【０１３５】
たとえば、制御装置１９０は、自車両が走行する道路が、他の道路と合流する合流レーンと、合流レーンに隣接し、他の道路と直接合流しない非合流レーンとを有する場合において、自車両が走行するレーンが合流レーンであり、かつ、非合流レーンが空いている場合には、非合流レーンに車線変更するための選択肢を、デフォルト選択肢として決定することができる。合流レーンから非合流レーンに車線変更を行うことで、他の道路から合流する他車両が自車両に接近する可能性が低くなり、ドライバーの安心感を高めることができるためである。なお、制御装置１９０は、上記以外の場合には、「そのまま走行」をデフォルト選択肢として選択することができる。
【０１３６】
そして、制御装置１９０は、「合流地点に近づくシーン」における提示情報の提示条件を決定する（ステップＳ１０９）。たとえば、図２に示す例において、制御装置１９０は、「合流地点に近づくシーン」における提示情報の提示条件として、「合流地点への到達時間がＳ５以下」を取得する。
【０１３７】
そして、制御装置１９０は、自車両が提示条件を満たしたタイミングで、上述した選択肢の提示態様において、上述したデフォルト選択肢が選択された状態で、提示情報をドライバーに提示する（ステップＳ１０９）。そして、制御装置１９０は、ユーザが応答情報を入力した場合、あるいは、「合流地点への到達時間がＳ６（Ｓ５＞Ｓ６）以下」との待機解除条件を満たした場合に、選択された選択肢に基づいて、自車両の走行を制御する（ステップＳ１１３）。
【０１３８】
このように、「合流地点に近づくシーン」において、制御装置１９０は動作する。
【０１３９】
次に、「自車レーンの閉塞シーン」における制御装置１９０の動作について説明する。たとえば、図２に示す例において、制御装置１９０は、自車両の走行情報に基づいて、自車両が「所定距離以内に自車両の走行レーンが消滅」との判定条件を満たすか否かを判断し、この判定条件を満たす場合に、「自車レーンの閉塞シーン」であると判定し（ステップＳ１０２）、「自車レーンの閉塞シーン」に対応する提示情報を取得する（ステップＳ１０３）。なお、図７は、「自車レーンの閉塞シーン」において、提示装置１５０であるディスプレイの画面に表示される提示情報の一例を示す図である。
【０１４０】
そして、制御装置１９０は、自車両の走行情報に基づいて、提示情報に含まれる各選択肢の提示態様を決定する（ステップＳ１０６）。たとえば、図７に示す例において、「自車レーンの閉塞シーン」に対応する提示情報は、「自車レーンの閉塞ブースに向かいますか？」などのメッセージ情報とともに、「自車レーンの閉塞シーン」において自車両が実行可能な「自動減速する」や「右へ車線変更をする」などの選択肢を有している。この場合、制御装置１９０は、ドライバーの運転状態、自車両の走行状態、自車両が走行する道路の状態、および自車両周辺の環境などの走行情報に基づいて、「自動減速する」や「右へ車線変更をする」などの各選択肢の提示態様を、以下のように決定することができる。
【０１４１】
たとえば、制御装置１９０は、ドライバーの運転状態のうち、ドライバーの運転負荷に基づいて、「自動減速する」や「車線変更をする」などの選択肢の提示態様を決定することができる。たとえば、制御装置１９０は、ドライバーの運転負荷が所定の基準範囲よりも高い場合、あるいは、所定の基準範囲よりも低い場合には、ドライバーの運転負荷が所定の基準範囲内である場合に比べて、「自動減速する」の選択肢をドライバーが選択し易いように、各選択肢の提示態様を変更することができる。このように、ドライバーが選択し易い選択肢をドライバーが選択する可能性が高い選択肢に絞ることで、ドライバーに余裕が生まれ、ドライバーの安心感をより高めることができる。
【０１４２】
また、制御装置１９０は、自車両の走行状態のうち、ドライバーの走行履歴に基づいて、「自動減速する」や「車線変更をする」などの選択肢の提示態様を変更することができる。たとえば、制御装置１９０は、ドライバーの走行履歴に基づいて、自車両が走行する道路がドライバーが通勤に用いている道路であるかを特定し、ドライバーが通勤に用いている道路において道路工事が一定期間続く場合に、道路工事により閉塞されているレーンを走行することとなる選択肢をドライバーが選択し難いように、各選択肢の提示態様を決定することができる。
【０１４３】
さらに、制御装置１９０は、自車両の走行状態のうち、目的地に向かうルートに基づいて、「自動減速する」や「車線変更をする」などの選択肢の提示態様を決定することができる。たとえば、制御装置１９０は、目的地に向かうルートを走行するために近い将来に右折する必要がある場合において、自車両の走行レーンの右隣のレーンが閉塞しない場合には、自車両が将来的に右側に車線変更することとなるため、「右へ車線変更」の選択肢をドライバーが選択し易いように、各選択肢の提示態様を変更することができる。
【０１４４】
加えて、制御装置１９０は、自車両の走行状態のうち、自車両の車速に基づいて、「自動減速する」や「車線変更をする」などの選択肢の提示態様を決定することができる。たとえば、制御装置１９０は、自車両の車速が所定速度以上である場合には、閉塞地点まで早く到達してしまうため、「自動減速する」の選択肢をドライバーが選択し易いように、各選択肢の提示態様を決定することができる。これにより、ドライバーが選択肢を選択する際の負担を軽減することができる。
【０１４５】
また、制御装置１９０は、自車両の走行状態のうち、閉塞地点までの距離に基づいて、「自動減速する」や「車線変更をする」などの選択肢の提示態様を決定することができる。たとえば、制御装置１９０は、閉塞地点までの距離が所定距離以下である場合には、自車両が閉塞地点まで早く到達してしまうため、「自動減速する」の選択肢をドライバーが選択し易いように、各選択肢の提示態様を決定することができる。
【０１４６】
また、制御装置１９０は、閉塞地点までの距離が短い（たとえば１００ｍ）の場合には、「右へ車線変更」のみを選択することができるように、各選択肢の提示態様を決定することもできる。また、制御装置１９０は、閉塞地点までの距離が長い（たとえば１Ｋｍ）の場合には、「自動減速する」および「右へ車線変更」を選択することができるように、各選択肢の提示態様を決定することもできる。たとえば、閉塞地点までの距離が長い場合でも、車線変更を行う旨の選択肢しか選択できず、車線変更を行うことで、自車両がトラックで挟まれてしまうような場合でも、「自動減速する」の選択肢をドライバーが選択できるようにすることで、このような事態を適切に回避することが可能となる。
【０１４７】
さらに、制御装置１９０は、自車両が走行する道路の状態のうち、道路の混雑度合に基づいて、「自動減速する」や「車線変更をする」などの選択肢の提示態様を変更することができる。たとえば、制御装置１９０は、混雑度合が所定値未満の道路である場合には、「右へ車線変更する」の選択肢をドライバーが選択し易いように、各選択肢の提示態様を変更することができる。混雑度合が低い道路では、車線変更が比較的行い易いためである。
【０１４８】
また、制御装置１９０は、自車両が走行する道路の状態のうち、自車両が走行する道路のレーン数に基づいて、「自動減速する」や「車線変更をする」などの選択肢の提示態様を変更することができる。たとえば、制御装置１９０は、レーン数が所定数以上である場合には、車線変更を比較的行い易いため、「右へ車線変更」の選択肢をドライバーが選択し易いように、各選択肢の提示態様を変更することができる。
【０１４９】
加えて、制御装置１９０は、自車両が走行する道路の状態のうち、自車両が走行する道路の形状に基づいて、「自動減速する」や「車線変更をする」などの選択肢の提示態様を変更することができる。たとえば、制御装置１９０は、自車両が走行する道路の形状がカーブである場合には、直線である場合に比べて、「自動減速する」の選択肢をドライバーが選択し易いように、各選択肢の提示態様を変更することができる。直線に比べて、カーブでは、ドライバーが運転に注意をより向けている可能性が高いため、「自動減速する」の選択肢を選び易くすることで、ドライバーが選択肢を選択する負担を軽減することができ、ドライバーにより安心して運転を行わせることができる。
【０１５０】
また、制御装置１９０は、周辺の環境のうち、天候や時刻に基づいて、「自動減速する」や「車線変更をする」などの各選択肢の提示態様を決定することができる。たとえば、雨の場合には、晴れの場合に比べて見通しが悪いため、ドライバーが選択肢を選択する負荷を減らし、ドライバーを運転に集中させることが好ましい場合もありえる。そのため、制御装置１９０は、雨が降っている場合において、たとえば、近い将来に右に車線変更する可能性が高い場合などでは、「右へ車線変更」の選択肢をドライバーが選択し易いように、各選択肢の提示態様を変更することができる。同様に、制御装置１９０は、時刻が夜である場合において、近い将来に右に車線変更する可能性が高い場合には、「右へ車線変更」の選択肢をドライバーが選択し易いように、各選択肢の提示態様を変更することができる。
【０１５１】
このように、制御装置１９０は、ドライバーの運転状態、自車両の走行状態、自車両が走行する道路の状態、および自車両の周辺の環境などの走行状態に基づいて、「自車レーンの閉塞シーン」において自車両が選択可能な「自動減速する」や「右へ車線変更をする」などの選択肢の提示態様を決定することができる。
【０１５２】
続いて、「自車レーンの閉塞シーン」において自車両が実行可能な「自動減速する」や「右へ車線変更をする」などの選択肢の中から、最初に選択される選択肢（デフォルト選択肢）を決定する方法について説明する。制御装置１９０は、ドライバーの運転状態、自車両の走行状態、自車両が走行する道路の状態、および周辺の環境などの走行状態に基づいて、「自動減速する」や「右へ車線変更をする」などの選択肢の中から、デフォルト選択肢を決定する（ステップＳ１０７）。
【０１５３】
具体的には、制御装置１９０は、ドライバーの運転状態のうち、ドライバーの運転負荷に基づいて、「自動減速する」や「右へ車線変更をする」などの選択肢の中から、デフォルト選択肢を決定することができる。たとえば、制御装置１９０は、ドライバーの運転負荷が所定の基準範囲よりも高い場合、あるいは、ドライバーの運転負荷が所定の基準範囲よりも低い場合には、「右へ車線変更」の選択肢をデフォルト選択肢として決定することができる。
【０１５４】
また、制御装置１９０は、自車両の走行状態のうち、ドライバーの走行履歴に基づいて、「自動減速する」や「右へ車線変更をする」などの選択肢の中から、デフォルト選択肢を決定することができる。たとえば、制御装置１９０は、ドライバーの走行履歴に基づいてドライバーが通勤に用いている道路を特定し、ドライバーが通勤に用いる道路において道路工事が一定期間続く場合には、道路工事により閉塞されているレーンを回避する「右に車線変更」の選択肢を、デフォルト選択肢として決定することができる。閉塞地点を回避するための選択肢がデフォルト選択肢として設定されるため、ドライバーは安心して運転を行うことができる。
【０１５５】
さらに、制御装置１９０は、自車両の走行状態のうち、目的地に向かうルートに基づいて、「自動減速する」や「右へ車線変更をする」などの選択肢の中から、デフォルト選択肢を決定することができる。たとえば、制御装置１９０は、目的地に向かうルートを走行するために近い将来に右折する必要がある場合において、自車両の走行レーンの右隣のレーンが閉塞しない場合には、自車両が将来的に右側に車線変更することとなるため、「右へ車線変更」の選択肢をデフォルト選択肢として決定することができる。
【０１５６】
加えて、制御装置１９０は、自車両の走行状態のうち、自車両の車速に基づいて、「自動減速する」や「右へ車線変更をする」などの選択肢の中から、デフォルト選択肢を決定することができる。たとえば、制御装置１９０は、自車両の車速が所定速度以上である場合には、閉塞地点まで早く到達してしまうため、「右に車線変更」の選択肢をデフォルト選択肢に決定することができる。これにより、ドライバーの安心感を高めることができる。
【０１５７】
また、制御装置１９０は、自車両が走行する道路の状態のうち、道路の混雑度合に基づいて、「自動減速する」や「右へ車線変更をする」などの選択肢の中から、デフォルト選択肢を決定することができる。たとえば、制御装置１９０は、自車両が走行する道路の混雑度合が所定値以下である場合には、「右へ車線変更する」の選択肢をデフォルト選択肢として決定することができる。混雑度合が低い道路では車線変更が比較的行い易く、また、車線変更を予め行わせることで、ドライバーは安心して運転を行うことが可能となる。
【０１５８】
また、制御装置１９０は、自車両が走行する道路の状態のうち、自車両が走行する道路のレーン数に基づいて、「自動減速する」や「右へ車線変更をする」などの選択肢の中から、デフォルト選択肢を決定することができる。たとえば、制御装置１９０は、自車両が走行する道路のレーン数が所定数以上である場合には、車線変更が行い易いため、「右へ車線変更」の選択肢をデフォルト選択肢として決定することができる。
【０１５９】
また、制御装置１９０は、周辺の環境のうち天候や時刻に基づいて、「自動減速する」や「右へ車線変更をする」などの選択肢の中から、デフォルト選択肢を決定することができる。たとえば、雨の場合には、晴れの場合に比べて見通しが悪いため、ドライバーは早めに車線変更を済ませておきたいと考える傾向にある。そのため、制御装置１９０は、雨の場合には、「右へ車線変更」の選択肢をデフォルト選択肢として決定することができる。また同様に、制御装置１９０は、夜の場合においても、「右へ車線変更」の選択肢をデフォルト選択肢として決定することができる。
【０１６０】
このように、「自車レーンの閉塞シーン」において、制御装置１９０は、ドライバーの運転状態、自車両の走行状態、自車両が走行する道路の状態、および自車両の周辺の環境などの走行状態に基づいて、自車両が実行可能な「自動減速する」や「右へ車線変更をする」などの複数の選択肢の中から、最初に選択されるデフォルト選択肢を決定することができる。
【０１６１】
続いて、「自車レーンの閉塞シーン」における提示条件の決定方法について説明する。制御装置１９０は、図２に示すテーブルを参照して、「自車レーンの閉塞シーン」における提示情報の提示条件を取得する。たとえば、図２に示す例において、制御装置１９０は、「自車レーンの閉塞シーン」における提示情報の提示条件として、「閉塞地点への到達時間がＳ７以下」を取得する。さらに、制御装置１９０は、ドライバーの運転状態、自車両の走行状態、自車両が走行する道路の状態、および自車両周辺の環境などの走行情報に基づいて、取得した提示条件を変更する（ステップＳ１０８）。
【０１６２】
たとえば、制御装置１９０は、「自車レーンの閉塞シーン」において、「先行車両への追いつきシーン」と同様に、ドライバーの運転負荷、自車両が走行している道路の混雑度合、自車両が走行している道路の形状、天候、および時刻に基づいて、提示条件を決定することができる。加えて、「自車レーンの閉塞シーン」において、制御装置１９０は、以下のように提示条件を決定することができる。
【０１６３】
すなわち、制御装置１９０は、自車両の走行状態のうち、目的地に向かう方向に基づいて、提示条件を決定することができる。たとえば、自車両の走行レーンがこの先において閉塞し、隣のレーンを走行することで目的地に向かうことができる場合には、早めに車線変更を行うことで将来の状況の見通しが立てやすくなり、ユーザの安心感を高めることができる。そこで、このような場合に、制御装置１９０は、提示情報がより早いタイミングで提示されるように、提示条件を変更することができる。
【０１６４】
また、制御装置１９０は、自車両の走行状態のうち、自車両の車速に基づいて、提示条件を決定することができる。たとえば、自車両の車速が周辺車両の車速よりも遅い場合には、車線変更を行うためのスペースを見つけることが困難となる。そのため、制御装置１９０は、自車両の車速が周辺車両の車速よりも遅い場合には、提示情報がより早いタイミングで提示されるように、提示条件を変更する。これにより、ドライバーの安心感を高めることができる。
【０１６５】
また、制御装置１９０は、自車両が走行する道路の状態のうち、自車両が走行する走行レーンに基づいて、提示条件を変更することができる。たとえば、制御装置１９０は、自車両が走行している道路が通常レーンと追い越しレーンとを有し、自車両が通常レーンを走行している場合には、自車両が追い越しレーンを走行している場合と比べて、提示情報がより早いタイミングで提示されるように、提示条件を変更することができる。これは、通常レーンが閉塞する場合に、自車両は追い越しレーンに車線変更する必要がるが、追い越しレーンを他車両が走行する場合には、車線変更を直ぐに行うことが困難な場合があり、早めに車線変更を行えるようにすることが好適なためである。
【０１６６】
また、制御装置１９０は、自車両が走行する道路の状態のうち、自車両が走行する道路の種別に基づいて、提示条件を決定することができる。たとえば、制御装置１９０は、自車両が比較的規模の小さい道路（たとえば細街路や一般道路）を走行している場合には、比較的規模の大きい道路（たとえば幹線道路や高速道路）を走行している場合と比べて、提示情報がより早いタイミングで提示されるように、提示条件を変更することができる。比較的規模の小さい道路ではレーンの数が少なく、自車両の走行レーンが閉塞された場合に、自車両が車線変更を行うことができる車線が少なくなるためである。また同様に、制御装置１９０は、自車両が走行する道路のレーン数に基づいて、提示条件を決定することもできる。
【０１６７】
このように、「自車レーンの閉塞シーン」において、制御装置１９０は、ドライバーの運転状態、自車両の走行状態、自車両が走行する道路の状態、および自車両の周辺の環境などの走行状態に基づいて、「自車レーンの閉塞シーン」における提示条件を決定することができる。
【０１６８】
そして、制御装置１９０は、自車両が提示条件を満たしたタイミングで、上述した選択肢の提示態様において、上述したデフォルト選択肢が選択された状態で、提示情報をドライバーに提示する（ステップＳ１０９）。そして、制御装置１９０は、提示情報に対してドライバーが応答情報を入力した場合には（ステップＳ１１１＝Ｙｅs）、ドライバーが選択した選択肢に基づいて、自車両の走行を制御する（ステップＳ１１３）。また、「自車レーンの閉塞シーン」において、ドライバーが応答情報を入力しない場合には、制御装置１９０は、図２に示すように、たとえば、自車両が「閉塞地点への到達時間がＳ８（Ｓ７＞Ｓ８）以下」との待機解除条件を満たすか否かを判断し、この待機解除条件を満たした場合に、デフォルト選択肢に基づいて、自車両の走行を制御する（ステップＳ１１３）。
【０１６９】
このように、「自車レーンの閉塞シーン」において、制御装置１９０は動作する。
【０１７０】
次に、「路上物体の回避シーン」における制御装置１９０の動作について説明する。たとえば、図２に示す例において、制御装置１９０は、自車両の走行情報に基づいて、「進路前方に歩行者、自転車、バイク、または路上の落下物が存在する」との判定条件を満たすか否かを判断し、この判定条件を満たす場合に、「路上物体の回避シーン」であると判定し（ステップＳ１０２）、「路上物体の回避シーン」に対応する提示情報を取得する（ステップＳ１０３）。なお、図８は、「路上物体の回避シーン」において、提示装置１５０であるディスプレイの画面に表示される提示情報の一例を示す図である。
【０１７１】
そして、制御装置１９０は、自車両の走行情報に基づいて、提示情報に含まれる各選択肢の提示態様を決定する（ステップＳ１０６）。たとえば、図８に示す例において、「路上物体の回避シーン」に対応する提示情報は、「前方に障害物を検知しました」などのメッセージ情報とともに、「路上物体の回避シーン」において自車両が実施可能な「左に回避」、「自動減速する」、「右に回避」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定することができる。
【０１７２】
たとえば、制御装置１９０は、自車両の走行状態のうち、自車両周辺に存在する他車両や障害物に基づいて、「左に回避」、「自動減速する」、「右に回避」などの選択肢の提示態様を決定することができる。たとえば、制御装置１９０は、自車両の側方に他車両が存在する場合や、自車両の側方に壁や縁石などの障害物が存在する場合には、他車両や障害物が存在する方向への車線変更に対応する選択肢を、ドライバーが選択し難いように、各選択肢の提示態様を決定することができる。
【０１７３】
また、制御装置１９０は、ドライバーの運転状態、自車両の走行状態、自車両が走行する道路の状態、および周辺の環境などの走行情報に基づいて、「路上物体の回避シーン」において自車両が実行可能な「左に回避」、「自動減速する」、「右に回避」などの選択肢の中から、デフォルト選択肢を決定する（ステップＳ１０７）。
【０１７４】
具体的には、制御装置１９０は、自車両が走行する道路の状態のうち、自車両の走行レーンに隣接する隣接レーンの混雑度合に基づいて、デフォルト選択肢を決定することができる。具体的には、制御装置１９０は、たとえば、左側の隣接レーンが比較的空いている場合には、「左に回避」の選択肢をデフォルト選択肢として決定することができる。また、制御装置１９０は、たとえば、自車両の左側および右側に他車両や障害物が存在する場合には、「自動減速する」の選択肢をデフォルト選択肢として決定することができる。
【０１７５】
そして、制御装置１９０は、「路上物体の回避シーン」における提示情報の提示条件を決定する（ステップＳ１０９）。たとえば、図２に示す例において、制御装置１９０は、「路上物体の回避シーン」における提示情報の提示条件として、「路上物体を検知」を取得する。
【０１７６】
そして、制御装置１９０は、自車両が提示条件を満たしたタイミング、すなわち、路上に歩行者、自転車、バイク、または落下物を検知したタイミングで、上述した選択肢の提示態様において、上述したデフォルト選択肢が選択された状態で、提示情報をドライバーに提示する（ステップＳ１０９）。そして、制御装置１９０は、ユーザが応答情報を入力した場合、あるいは、「路上物体に対するＴＴＣがＳ９以下」との待機解除条件を満たした場合に、選択された選択肢に基づいて、自車両の走行を制御する（ステップＳ１１３）。
【０１７７】
このように、「路上物体の回避シーン」において、制御装置１９０は動作する。
【０１７８】
次に、「後方車両に追いつかれシーン」における制御装置１９０の動作について説明する。たとえば、制御装置１９０は、図２に示すように、自車両の走行情報に基づいて、「自車両の走行レーンに後続車両が存在し」かつ「後続車両の車両＞自車両の車速」の判定条件を満たすか否かを判断し、この判定条件を満たす場合に、「後方車両に追いつかれシーン」であると判定し（ステップＳ１０２）、「後方車両に追いつかれシーン」に対応する提示情報を取得する（ステップＳ１０３）。なお、図９は、「後方車両に追いつかれシーン」において、提示装置１５０であるディスプレイの画面に表示される提示情報の一例を示す図である。
【０１７９】
そして、制御装置１９０は、自車両の走行情報に基づいて、提示情報に含まれる各選択肢の提示態様を決定する（ステップＳ１０６）。たとえば、図９に示す例において、「後方車両に追いつかれシーン」に対応する提示情報は、「後方から早い車両が近づいています。どうしますか？」などのメッセージ情報とともに、「後方車両に追いつかれシーン」において自車両が実行可能な「左に車線変更」、「そのまま走行」、「右に車線変更」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定する。
【０１８０】
たとえば、制御装置１９０は、自車両の走行状態のうち、自車両周辺に存在する他車両や障害物に基づいて、「左に車線変更」、「そのまま走行」、「右に車線変更」などの選択肢の提示態様を決定することができる。たとえば、制御装置１９０は、自車両の側方に他車両が存在する場合や、自車両の側方に壁や縁石などの障害物が存在する場合には、他車両や障害物が存在する方向への車線変更に対応する選択肢を、ドライバーが選択し難いように、各選択肢の提示態様を決定することができる。
【０１８１】
また、制御装置１９０の制御装置１９０は、ドライバーの運転状態、自車両の走行状態、自車両が走行する道路の状態、および周辺の環境などの走行状態に基づいて、「後方車両に追いつかれシーン」において自車両が実行可能な「左に車線変更」、「そのまま走行」、「右に車線変更」などの選択肢の中から、デフォルト選択肢を決定する（ステップＳ１０７）。
【０１８２】
具体的には、制御装置１９０は、後方から近づいてくる後続車両が救急車などの緊急車両であり、左側または右側の隣接レーンが比較的空いていると判断した場合には、「左に車線変更」または「右側に車線変更」の選択肢を、デフォルト選択肢として決定することができる。また、制御装置１９０は、上記以外の場合には、「そのまま走行する」の選択肢をデフォルト選択肢として決定することができる。
【０１８３】
そして、制御装置１９０は、「後方車両に追いつかれシーン」における提示情報の提示条件を決定する（ステップＳ１０９）。たとえば、図２に示す例において、制御装置１９０は、「後方車両に追いつかれシーン」における提示情報の提示条件として、「後続車両に対するＴＴＣがＳ１０以下」を取得する。
【０１８４】
そして、制御装置１９０は、自車両が提示条件を満たしたタイミングで、上述した選択肢の提示態様において、上述したデフォルト選択肢が選択された状態で、提示情報をドライバーに提示する（ステップＳ１０９）。そして、制御装置１９０は、ユーザが応答情報を入力した場合、あるいは、「後続車両に対するＴＴＣがＳ１１（Ｓ１０＞Ｓ１１）以下」との待機解除条件を満たした場合に、選択された選択肢に基づいて、自車両の走行を制御する（ステップＳ１１３）。
【０１８５】
このように、「後方車両に追いつかれシーン」において、制御装置１９０は動作する。
【０１８６】
次に、「緊急退避シーン」における制御装置１９０の動作について説明する。たとえば、図２に示す例において、制御装置１９０は、自車両の走行情報に基づいて、「所定時間の間に、車載機器１４０の操作が行われていない」かつ「車内カメラによる撮像画像に基づいて、ドライバーが運転可能状態ではないと判定」の判定条件を満たすか否かを判断し、この判定条件を満たす場合に、「緊急退避シーン」であると判定し（ステップＳ１０２）、「緊急退避シーン」に対応する提示情報を取得する（ステップＳ１０３）。なお、図１０は、「緊急退避シーン」において、提示装置１５０であるディスプレイの画面に表示される提示情報の一例を示す図である。
【０１８７】
そして、制御装置１９０は、自車両の走行情報に基づいて、提示情報に含まれる各選択肢の提示態様を決定する（ステップＳ１０６）。たとえば、図１０に示す例において、「緊急退避シーン」に対応する提示情報は、「運転が続けられなくなる可能性があります。どうしますか？」などのメッセージ情報とともに、「緊急退避シーン」において自車両が実行可能な「左に車線変更し、路肩で停車」、「そのまま走行する」、「右に車線変更」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定することができる。
【０１８８】
具体的には、制御装置１９０は、自車両の走行状態のうち、自車両周辺に存在する他車両や障害物に基づいて、「左に車線変更し、路肩で停車」、「そのまま走行する」、「右に車線変更」などの選択肢の提示態様を決定することができる。たとえば、制御装置１９０は、自車両の側方に他車両が存在する場合や、自車両の側方に壁や縁石などの障害物が存在する場合には、他車両や障害物が存在する方向への車線変更に対応する選択肢を、ドライバーが選択し難いように、各選択肢の提示態様を決定することができる。
【０１８９】
また、制御装置１９０は、自車両の道路の状態のうち、自車両が走行する道路の路肩の幅に基づいて、「左に車線変更し、路肩で停車」、「そのまま走行する」、「右に車線変更」などの選択肢の提示態様を決定することができる。たとえば、制御装置１９０は、自車両が走行する道路の路肩が十分な幅ではない場合には、「左に車線変更し、路肩で停車」の選択肢が選択し易くなるように、各選択肢の提示態様を決定することができる。
【０１９０】
さらに、制御装置１９０は、ドライバーの運転状態、自車両の走行状態、自車両が走行する道路の状態、および周辺の環境などの走行状態に基づいて、「緊急退避シーン」において自車両が実行可能な「左に車線変更し、路肩で停車」、「そのまま走行する」、「右に車線変更」などの選択肢の中から、デフォルト選択肢を決定する（ステップＳ１０７）。
【０１９１】
たとえば、制御装置１９０は、自車両が走行する道路の状態のうち、路肩に接するレーンの混雑度合に基づいて、デフォルト選択肢を決定することができる。具体的には、制御装置１９０は、路肩に接する左側のレーンが比較的空いている場合には、「左に車線変更し、路肩で停車」の選択肢をデフォルト選択肢として決定することができる。また、制御装置１９０は、上記以外の場合には、「そのまま走行する」の選択肢をデフォルト選択肢として決定することができる。
【０１９２】
そして、制御装置１９０は、「緊急退避シーン」における提示情報の提示条件を決定する（ステップＳ１０９）。たとえば、図２に示す例において、制御装置１９０は、「緊急退避シーン」における提示情報の提示条件として、「緊急退避シーン」の判定条件を取得する。
【０１９３】
そして、制御装置１９０は、自車両が提示条件を満たしたタイミング、すなわち、「緊急退避シーン」であると判定されたタイミングで、上述した選択肢の提示態様において、上述したデフォルト選択肢が選択された状態で、提示情報をドライバーに提示する（ステップＳ１０９）。そして、制御装置１９０は、ユーザが応答情報を入力した場合、あるいは、「メッセージの提示後、所定時間が経過した」との待機解除条件を満たした場合に、選択された選択肢に基づいて、自車両の走行を制御する（ステップＳ１１３）。
【０１９４】
このように、「緊急退避シーン」において、制御装置１９０は動作する。
【０１９５】
次に、「目的地への車線乗換シーン」における制御装置１９０の動作について説明する。たとえば、制御装置１９０は、図２に示すように、自車両の走行情報に基づいて、「目的地が設定されている」かつ「目的地に到着するために必要な車線変更地点までの到達時間が６０秒以内」の判定条件を満たすか否かを判断し、この判定条件を満たす場合に、「目的地への車線乗換シーン」であると判定し（ステップＳ１０２）、「目的地への車線乗換シーン」に対応する提示情報を取得する（ステップＳ１０３）。なお、図１１は、「目的地への車線乗換シーン」において、提示装置１５０であるディスプレイの画面に表示される提示情報の一例を示す図である。
【０１９６】
そして、制御装置１９０は、自車両の走行情報に基づいて、提示情報に含まれる各選択肢の提示態様を決定する（ステップＳ１０６）。たとえば、図１１に示す例において、「目的地への車線乗換シーン」に対応する提示情報は、「前方に分岐があります。目的地に向かうには左方向に進むと早く到着しますが、どうしますか？」などのメッセージ情報とともに、「目的地への車線乗換シーン」において自車両が実行可能な「左に車線変更」、「そのまま走行」、「右に車線変更」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定することができる。
【０１９７】
たとえば、制御装置１９０は、自車両の走行状態のうち、自車両周辺に存在する他車両や障害物に基づいて、「左に車線変更」、「そのまま走行」、「右に車線変更」などの選択肢の提示態様を決定することができる。たとえば、制御装置１９０は、自車両の側方に他車両が存在する場合や、自車両の側方に壁や縁石などの障害物が存在する場合には、他車両や障害物が存在する方向への車線変更に対応する選択肢を、ドライバーが選択し難いように、各選択肢の提示態様を決定することができる。
【０１９８】
また、制御装置１９０は、自車両が走行する道路の状態のうち、道路規制や標識に基づいて、「左に車線変更」、「そのまま走行」、「右に車線変更」などの選択肢の提示態様を決定することができる。たとえば、制御装置１９０は、車線変更禁止区間では、「左に車線変更」および「右に車線変更」の選択肢をドライバーが選択し難いように、各選択肢の提示態様を決定することができる。
【０１９９】
さらに、制御装置１９０は、「左に車線変更」および「右に車線変更」を行い、分岐を左方向または右方向に進んだ場合に、目的地までの到達時間が所定時間以上遅れてしまう場合には、このような方向に向かう車線変更に対応する選択肢をドライバーが選択し難いように、各選択肢の提示態様を決定することができる。たとえば、制御装置１９０は、右に車線変更を行い右側のレーンをそのまま走行した場合に、目的地までの到達時間が所定時間以上遅れてしまうこととなる場合には、「右に車線変更」の選択肢をドライバーが選択し難いように、各選択肢の提示態様を決定することができる。
【０２００】
さらに、制御装置１９０は、ドライバーの運転状態、自車両の走行状態、自車両が走行する道路の状態、および周辺の環境などの走行状態に基づいて、「目的地への車線乗換シーン」において自車両が実行可能な「左に車線変更」、「そのまま走行」、「右に車線変更」などの選択肢の中から、デフォルト選択肢を決定する（ステップＳ１０７）。
【０２０１】
たとえば、制御装置１９０は、「左に車線変更」、「そのまま走行」、「右に車線変更」などのうち、目的地に向かう方向に自車両が進行することとなる選択肢を、デフォルト選択肢として決定することができる。たとえば、制御装置１９０は、右に車線変更を行い右側のレーンをそのまま走行した場合に、目的地に向かうことができる場合には、「右に車線変更」の選択肢をデフォルト選択肢として決定することができる。
【０２０２】
そして、制御装置１９０は、「目的地への車線乗換シーン」における提示情報の提示条件を決定する（ステップＳ１０９）。たとえば、図２に示す例において、制御装置１９０は、「目的地への車線乗換シーン」における提示情報の提示条件として、「車線変更地点までの到達時間がＳ１２以下」を取得する。
【０２０３】
そして、制御装置１９０は、自車両が提示条件を満たしたタイミングで、上述した選択肢の提示態様において、上述したデフォルト選択肢が選択された状態で、提示情報をドライバーに提示する（ステップＳ１０９）。そして、制御装置１９０は、ユーザが応答情報を入力した場合、あるいは、「車線変更地点までの到達時間がＳ１３（Ｓ１２＞Ｓ１３）以下」との待機解除条件を満たした場合に、選択された選択肢に基づいて、自車両の走行を制御する（ステップＳ１１３）。
【０２０４】
このように、「目的地への車線乗換シーン」において、制御装置１９０は動作する。
【０２０５】
次に、「ＳＡ（サービスエリア）／ＰＡ（パーキングエリア）に向かうシーン」における制御装置１９０の動作について説明する。たとえば、図２に示す例において、制御装置１９０は、自車両の走行情報に基づいて、「ＳＡ／ＰＡへの到達時間が６０秒以内」の判定条件を満たすか否かを判断し、この判定条件を満たす場合に、「ＳＡ／ＰＡに向かうシーン」であると判定し（ステップＳ１０２）、「ＳＡ／ＰＡに向かうシーン」に対応する提示情報を取得する（ステップＳ１０３）。なお、図１２は、「ＳＡ／ＰＡに向かうシーン」において、提示装置１５０であるディスプレイの画面に表示される提示情報の一例を示す図である。
【０２０６】
そして、制御装置１９０は、自車両の走行情報に基づいて、提示情報に含まれる各選択肢の提示態様を決定する（ステップＳ１０６）。たとえば、図１２に示す例において、「ＳＡ／ＰＡに向かうシーン」に対応する提示情報は、「左にパーキングエリアがありますが、どうしますか？」などのメッセージ情報とともに、「ＳＡ／ＰＡに向かうシーン」において自車両が実行可能な「左に車線変更」、「そのまま走行」、「右に車線変更」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定する。
【０２０７】
たとえば、制御装置１９０は、自車両の走行状態のうち、自車両周辺に存在する他車両や障害物に基づいて、「左に車線変更」、「そのまま走行」、「右に車線変更」などの選択肢の提示態様を決定することができる。たとえば、制御装置１９０は、自車両の側方に他車両が存在する場合や、自車両の側方に壁や縁石などの障害物が存在する場合には、他車両や障害物が存在する方向への車線変更に対応する選択肢を、ドライバーが選択し難いように、各選択肢の提示態様を決定することができる。
【０２０８】
また、制御装置１９０は、自車両が走行する道路の状態のうち、道路規制や標識に基づいて、「左に車線変更」、「そのまま走行」、「右に車線変更」などの選択肢の提示態様を決定することができる。たとえば、制御装置１９０は、車線変更禁止区間では、「左に車線変更」および「右に車線変更」の選択肢をドライバーが選択し難いように、各選択肢の提示態様を決定することができる。
【０２０９】
さらに、制御装置１９０は、サービスエリアまたはパーキングエリアが混雑しているか否かを判断し、サービスエリアまたはパーキングエリアが混雑している場合には、「そのまま走行」の選択肢をドライバーが選択し易いように、各選択肢の提示態様を決定することができる。なお、制御装置１９０は、通信装置１７０による路車間通信などを利用して、サービスエリアまたはパーキングエリアが混雑しているか否かの情報を取得することで、サービスエリアまたはパーキングエリアが混雑しているか否かを判断することができる。
【０２１０】
また、制御装置１９０は、ドライバーの運転状態、自車両の走行状態、自車両が走行する道路の状態、および周辺の環境などの走行状態に基づいて、「ＳＡ／ＰＡに向かうシーン」において自車両が実行可能な「左に車線変更」、「そのまま走行」、「右に車線変更」などの選択肢の中から、デフォルト選択肢を決定する（ステップＳ１０７）。
【０２１１】
たとえば、制御装置１９０は、ドライバーが休憩を取らずに２時間以上連続して運転している場合であり、かつ、前方にサービスエリアまたはパーキングエリアが存在する場合には、サービスエリアまたはパーキングエリアに進入する側のレーンに車線変更を行うための選択肢を、デフォルト選択肢として決定してもよい。また、制御装置１９０は、上記以外の場合には、「そのまま走行する」の選択肢をデフォルト選択肢として決定することができる。
【０２１２】
そして、制御装置１９０は、「ＳＡ／ＰＡに向かうシーン」における提示情報の提示条件を決定する（ステップＳ１０９）。たとえば、図２に示す例において、制御装置１９０は、「ＳＡ／ＰＡに向かうシーン」における提示情報の提示条件として、「ＳＡ／ＰＡへの到達時間がＳ１４以下」を取得する。
【０２１３】
そして、制御装置１９０は、自車両が提示条件を満たしたタイミングで、上述した選択肢の提示態様において、上述したデフォルト選択肢が選択された状態で、提示情報をドライバーに提示する（ステップＳ１０９）。そして、制御装置１９０は、ユーザが応答情報を入力した場合、あるいは、「ＳＡ／ＰＡへの到達時間がＳ１５（Ｓ１４＞Ｓ１５）以下」との待機解除条件を満たした場合に、選択された選択肢に基づいて、自車両の走行を制御する（ステップＳ１１３）。
【０２１４】
このように、「ＳＡ／ＰＡに向かうシーン」において、制御装置１９０は動作する。
【０２１５】
また、本実施形態において、ドライバーは入力装置１６０を操作することで、図１３に示すように、車線変更をドライバーに問い合わせる提示情報を、制御装置１９０に提示させることができる。たとえば、図１３に示す提示情報は、「どちらの方向に車線変更したいですか？」とのメッセージ情報とともに、「左に車線変更」、「キャンセル」、「右に車線変更」などの選択肢を有している。この場合、制御装置１９０は、ドライバーの運転状態、自車両の走行状態、自車両が走行する道路の状態、および自車両周辺の環境などの走行情報に基づいて、各選択肢の提示態様を決定することができる。
【０２１６】
たとえば、制御装置１９０は、自車両の側方に他車両が存在する場合や、自車両の側方に壁や縁石などの障害物が存在する場合には、「キャンセル」の選択肢をドライバーが選択し易いように、各選択肢の提示態様を決定することができる。また、制御装置１９０は、自車両が車線変更禁止区間を走行する場合も、「キャンセル」の選択肢をドライバーが選択し易いように、各選択肢の提示態様を決定することができる。さらに、制御装置１９０は、自車両の設定車速と先行車両の車速との差が１０ｋｍ／ｈ未満である場合には、「キャンセル」の選択肢をドライバーが選択し易いように、各選択肢の提示態様を決定することができる。先行車両の追い越しに要する時間が長くなってしまうためである。
【０２１７】
また、このように、ドライバーが車線変更を問い合わせる提示情報を提示させた場合に、制御装置１９０は、「キャンセル」の選択肢を、最初に選択されるデフォルト選択肢として決定することができる。
【０２１８】
さらに、制御装置１９０は、ドライバーに車線変更を問い合わせる提示情報を提示した後に、たとえばＮ秒が経過したことを待機解除条件とすることができ、ドライバーにより応答情報の入力がない場合には、提示情報の提示からＮ秒が経過した後に、デフォルト選択肢に基づいて、自車両の走行を制御することができる。なお、制御装置１９０は、ドライバーが車載機器１４０を操作している場合には、待機解除条件のＮ秒を５秒程度延長することもできる。
【０２１９】
以上のように、本実施形態では、自車両の走行状態に基づいて走行シーンを判定し、走行シーンに対応する提示情報をドライバーに提示し、ドライバーが提示情報に対して応答情報を入力した場合に、ドライバーが入力した応答情報に基づいて、自車両の走行を制御することで、ドライバーの判断に基づいた走行制御を行うことができ、走行制御を行う際のドライバーの違和感を軽減することができる。
【０２２０】
また、本実施形態では、提示情報に優先順位が関連付けられており、自車両の実際の走行シーンが、２以上の提示情報に対応する走行シーンに該当する場合には、優先順位が最も高い提示情報を、ドライバーに提示することで、ドライバーが必要とする提示情報を、ドライバーに適切に提示することができる。
【０２２１】
さらに、本実施形態では、各走行シーンにおいて、自車両の走行状態に適した選択肢をデフォルト選択肢として決定し、デフォルト選択肢が予め選択された状態で、提示情報をドライバーに提示することで、ドライバーが選択肢を選択する負担を軽減することができ、ドライバーの安心感を高めることができる。また、デフォルト選択肢が予め選択された状態で、提示情報をドライバーに提示した後に、ドライバーが応答情報を入力することなく待機解除条件を満たした場合には、デフォルト選択肢に基づいて、自車両を制御することで、ドライバーが選択肢を選択できない状況においても、自車両の走行を適切に制御することができる。
【０２２２】
また、上述した実施形態では、自車両の走行状態に基づいて、提示情報に含まれる複数の選択肢のうちの一部の選択肢をドライバーが選択し易い（あるいは選択し難い）ように、各選択肢の提示態様を変更することで、それぞれの走行シーンにおいて、ドライバーが選択することが好ましい選択肢をドライバーが選択し易くすることができ（あるいは、ドライバーが選択することが好ましくない選択肢を選択し難くすることができ）、ドライバーが選択肢を選択する際の負担を軽減することができる。
【０２２３】
加えて、本実施形態では、提示情報に関連付けられた提示条件を満たしたタイミングで、提示情報をユーザに提示することで、提示情報が長時間提示されることによるユーザの煩わしさを軽減することができる。また、本実施形態では、自車両の走行状態に基づいて、提示条件を変更することで、自車両の走行状態に適したタイミングで提示情報を提示することができる。
【０２２４】
《第２実施形態》
次に、第２実施形態に係る走行制御装置について説明する。第２実施形態に係る走行制御装置１００は、第１実施形態に係る走行制御装置１００と同様の構成を有し、以下に説明するように動作すること以外は、第１実施形態に係る走行制御装置１００と同様に動作する。
【０２２５】
第２実施形態に係る制御装置１９０は、第１実施形態に係る制御装置１９０の機能に加えて、履歴情報記憶機能と、ドライバー状態推定機能と、特定走行制御機能と、をさらに備える。以下に、各機能について説明する。
【０２２６】
制御装置１９０の履歴情報記憶機能は、提示装置１５０により提示された提示情報の提示回数を含む履歴情報を、制御装置１９０が備えるメモリに記憶する。また、履歴情報記憶機能は、入力装置１６０により入力された応答情報の入力回数を含む履歴情報を、制御装置１９０のメモリに記憶する。さらに、履歴情報記憶機能は、車載機器１４０から車載機器１４０の操作情報を取得し、ドライバーが車載機器１４０を操作した操作回数を含む操作履歴情報を、制御装置１９０のメモリに記憶する。
【０２２７】
制御装置１９０のドライバー状態推定機能は、提示情報の履歴情報、応答情報の履歴情報、および車載機器１４０の操作履歴情報に基づいて、ドライバーの状態を推定する。たとえば、ドライバー状態推定機能は、制御装置１９０のメモリから、現時点から所定時間前までの一定期間（たとえば１０分間）における、提示情報の提示回数Ｄおよび応答情報の入力回数Ｉを取得する。そして、ドライバー状態推定機能は、下記式（１）に示すように、一定期間における応答情報の入力回数Ｉを提示情報の提示回数Ｄで除した値（Ｉ／Ｄ）が、所定値Ｔ１以下であるか否かを判断する。
（応答情報の入力回数Ｉ／提示情報の提示回数Ｄ）≦  所定値Ｔ１  ・・・（１）
なお、提示情報の提示回数Ｄがゼロである場合には、提示回数Ｄを１として、上記式（１）を算出することができる。
【０２２８】
さらに、ドライバー状態推定機能は、車載機器１４０の操作履歴情報に基づいて、現時点から所定時間前までの一定期間（たとえば１０分間）における、車載機器１４０の操作回数Ｈを取得する。そして、ドライバー状態推定機能は、下記式（２）に示すように、車載機器１４０の操作回数Ｈが、所定値Ｔ２以下であるか否かを判断する。
車載機器１４０の操作回数Ｈ  ≦  所定値Ｔ２  ・・・（２）
【０２２９】
ドライバー状態推定機能は、上記式（１）および（２）の条件を満たす場合には、ドライバーが急病など、提示情報に応答できない緊急状態である可能性があるものと推定する。
【０２３０】
制御装置１９０の特定走行制御機能は、ドライバー状態推定機能により、ドライバーが緊急状態である可能性があると推定された場合に、自車両を退避スペースに退避させるための制御を行う。たとえば、特定走行制御機能は、自車両が退避可能なスペースを探索し、走行制御機能に、自車両を退避スペースまで移動させ、退避スペースに自車両を停車させる。なお、特定走行制御機能による特定走行制御処理の詳細な内容については後述する。
【０２３１】
また、第２実施形態において、制御装置１９０の提示機能は、ドライバー状態推定機能により、ドライバーが緊急状態である可能性があると推定された場合に、ドライバーに退避スペースへの退避を行うか否かを問い合わせる提示情報を提示する。ここで、図１４は、第２実施形態に係る特定走行制御において、提示装置１５０により提示される提示情報の一例を示す図である。たとえば、提示機能は、図１４に示すように、「所定期間の操作が検出されなかったため、緊急退避制御を行います。もしキャンセルしたい場合は所定時間内にキャンセルを選択して下さい。」とのメッセージ情報を提示情報に含めて提示することができる。さらに、提示機能は、「あと残り○○秒」などのように、退避制御をキャンセル可能な残り時間に関する情報を、提示情報に含めて提示することができる。
【０２３２】
また、この場合、提示機能は、退避制御の「実行」および「キャンセル」の２つの選択肢を提示情報に含めて提示することができる。また、「キャンセル」をデフォルト選択肢として提示することができる。ただし、第２実施形態において、特定走行制御機能は、ドライバーがいずれの選択肢を選択することなく、退避制御をキャンセル可能な残り時間がゼロになった場合には、自車両を退避スペースに退避させる退避制御（特定走行制御）を実行する。すなわち、第２実施形態では、ドライバーが退避制御の「キャンセル」を選択し易いように、デフォルト選択肢として「キャンセル」を設定するが、ドライバーの応答が一定時間ない場合には、デフォルト選択肢は選択されず、退避制御が実行されることとなる。
【０２３３】
続いて、図１５を参照して、第２実施形態に係る特定走行制御処理について説明する。図１５は、第２実施形態に係る特定走行制御処理を示すフローチャートである。なお、以下に説明する特定走行制御処理は、たとえば、制御装置１９０により、第１実施形態に係る走行制御処理と並行して、実行することができる。また、特定走行制御処理は、一定の間隔で繰り返し行われる。
【０２３４】
ステップＳ２０１では、ドライバー状態推定機能により、履歴情報の取得が行われる。具体的には、ドライバー状態推定機能は、制御装置１９０が備えるメモリから、提示装置１５０により提示された提示情報の履歴情報、入力装置１６０により入力された応答情報の履歴情報、車載機器１４０の操作履歴情報を取得する。
【０２３５】
ステップＳ２０２では、ドライバー状態推定機能により、上記式（１）に示すように、応答情報の入力回数Ｉを提示情報の提示回数Ｄで除した値（Ｉ／Ｄ）が、所定値Ｔ１以下であるか否かの判断が行われる。値（Ｉ／Ｄ）が所定値Ｔ１以下である場合、すなわち、ドライバーが提示情報に応答する割合が低い場合には、ステップＳ２０３に進む。一方、値（Ｉ／Ｄ）が所定値Ｔ１よりも大きい場合、すなわち、ドライバーが提示情報に応答する割合が高い場合には、ステップＳ２０８に進む。ステップＳ２０８では、制御装置１９０により、図４に示す走行制御処理が継続して行われる。
【０２３６】
ステップＳ２０３では、ステップＳ２０１で取得した車載機器１４０の操作履歴情報に基づいて、車載機器１４０の操作回数Ｈが所定値Ｔ２以下であるか否かの判断が行われる。車載機器１４０の操作回数Ｈが所定値Ｔ２よりも多い場合には、ステップＳ２０８に進み、図４に示す走行制御処理が継続して行われる。一方、車載機器１４０の操作回数Ｈが所定値Ｔ２以下である場合には、ステップＳ２０４に進む。
【０２３７】
ステップＳ２０４では、応答情報の入力回数Ｉを提示情報の提示回数Ｄで除した値（Ｉ／Ｄ）が所定値Ｔ１以下であり、かつ、車載機器１４０の操作回数Ｈが所定値Ｔ２以下であるため、ドライバー状態推定機能により、ドライバーが、急病などの提示情報に応答できない緊急状態である可能性があると推定される。そこで、特定走行制御機能により、自車両を退避させるための退避スペースの探索が行われる。
【０２３８】
たとえば、特定走行制御機能は、自車両が高速道路を走行している場合には、地図データベース１３０の地図情報に基づいて、最寄りのパーキングエリアやサービスエリアを、退避スペースとして探索することができる。また、特定走行制御機能は、路肩に停車できる道路では、センサ１１０に含まれる前方カメラや側方レーダーなどの検知結果に基づいて、自車両を停車可能な路肩のスペースを、退避スペースとして探索することもできる。
【０２３９】
ステップＳ２０５では、提示機能により、図１４に示すように、退避制御を行うか否かの提示情報がドライバーに提示される。なお、提示機能は、音声などにより提示情報を提示することもできる。また、提示機能は、提示情報を提示する際に、「キャンセル」の選択肢をデフォルト選択肢として設定する。
【０２４０】
そして、ステップＳ２０６では、特定走行制御機能により、ステップＳ２０５で提示された提示情報に対して、ドライバーが退避制御（特定走行制御）の「実行」または「キャンセル」の選択肢を選択したか否かの判断が行われる。ドライバーがいずれかの選択肢を選択した場合には、ステップＳ２０７に進み、一方、ドライバーがいずれの選択肢も選択していない場合には、ステップＳ２０９に進む。
【０２４１】
ステップＳ２０７では、ドライバーがいずれかの選択肢を選択していると判断されているため、特定走行制御機能により、ステップＳ２０５で提示された提示情報に対して、ドライバーが退避制御（特定走行制御）の「キャンセル」の選択肢を選択したか否かの判断が行われる。ドライバーが退避制御の「キャンセル」の選択肢を選択した場合には、図４に示す走行制御処理を継続するために、ステップＳ２０８に進む。一方、ドライバーが退避制御の「実行」の選択肢を選択した場合には、退避制御（特定走行制御）を実行するために、ステップＳ２１０に進む。
【０２４２】
また、ステップＳ２０６において、ドライバーがいずれの選択肢も選択していない場合には、ステップＳ２０９に進み、特定走行制御機能により、ドライバーにより応答情報が入力されない状態で、ステップＳ２０５で退避制御（特定走行制御）を行う旨の提示情報を提示してから一定時間が経過したか否かの判断が行われる。一定時間が経過していない場合には、ステップＳ２０８に進み、図４に示す走行制御処理が継続して行われる。一方、ドライバーからの応答がなく一定時間が経過した場合には、退避制御（特定走行制御）を実行するために、ステップＳ２１０に進む。
【０２４３】
なお、ステップＳ２０６，Ｓ２０７，Ｓ２０９においては、ドライバーが入力装置１６０を介して提示装置１５０のディスプレイに提示された「キャンセル」を直接選択しない場合でも、ドライバーが、たとえばステアリングやアクセルペダルの操作、車載機器１４０の操作などを行った場合には、退避制御（特定走行制御）の「キャンセル」が選択されたものと判断し、ステップＳ２０８に進むことができる。
【０２４４】
ステップＳ２１０〜Ｓ２１２では、特定走行制御機能により、退避制御（特定走行制御）が実行される。すなわち、まず、ステップＳ２１０では、特定走行制御機能により、ハザードランプの点滅が開始される。ハザードランプを点滅させることで、周囲の車両のドライバーに、自車両のドライバーが緊急状態であること、および、退避制御を行うことを知らせることができる。そして、ステップＳ２１１では、特定走行制御機能により、ステップＳ２０４で探索した退避スペースまで、自車両を自動で移動させる退避制御が行われる。そして、自車両が退避スペースまで移動すると、ステップＳ２１２に進み、特定走行制御機能により、退避スペースでの停車が行われる。たとえば、特定走行制御機能は、パーキングブレーキを自動で動作せることで、退避スペースで停車を行うことができる。
【０２４５】
以上のように、第２実施形態に係る走行制御装置１００は、提示情報および応答情報の履歴情報、車載機器１４０の操作履歴情報に基づいて、ドライバーが提示情報に応答できない緊急状態の可能性があるか否かを推定する。そして、ドライバーが緊急状態である可能性があると推定された場合には、自車両を退避スペースに退避させる退避制御（特定走行制御）を行うか否かの提示情報が、ドライバーに提示される。そして、ドライバーが退避制御の実行を選択した場合、または、ドライバーが提示情報に応答できない場合に、自車両を自動で退避スペースに退避させる退避制御が行われる。これにより、第２実施形態では、第１実施形態の効果に加えて、ドライバーが提示情報に応答できない緊急状態である場合でも、自車両を退避スペースまで移動させることができ、ドライバーを安全に保護することができる。
【０２４６】
また、第２実施形態では、提示情報に含まれる選択肢のうち、「キャンセル」の選択肢を、デフォルト選択肢として設定することで、走行制御から退避制御（特定走行制御）への移行に対する、ドライバーの拒否の意思を迅速に反映することができる。
【０２４７】
なお、第２実施形態では、退避スペースを探索し、自車両を退避スペースまで移動させる構成を例示したが、この構成に限定されず、たとえば、自車両を現在位置の近傍、または、緊急時に路肩に停車可能であれば、自車両を路肩に停車させる構成とすることができる。この場合も、ドライバーが提示情報に応答できない緊急状態である場合に、ドライバーを安全に保護することができる。
【０２４８】
《第３実施形態》
次に、第３実施形態に係る走行制御装置について説明する。第３実施形態に係る走行制御装置１００は、第２実施形態に係る走行制御装置１００と同様の構成を有し、以下に説明するように動作すること以外は、第２実施形態に係る走行制御装置１００と同様に動作する。
【０２４９】
第３実施形態において、制御装置１９０のドライバー状態推定機能は、提示装置１５０により提示された提示情報の履歴情報、入力装置１６０により入力された応答情報の履歴情報、および車載機器１４０の操作履歴情報に基づいて、ドライバーが居眠り状態（眠い状態を含む）である可能性があるか否かを推定する。たとえば、ドライバー状態推定機能は、上記式（１）および（２）の条件を満たす場合に、ドライバーが居眠り状態である可能性があると判断することができる。また、上記式（１）および（２）において、所定値Ｔ１，Ｔ２に代えて、所定値Ｔ１，Ｔ２よりもそれぞれ小さい値の所定値Ｔ３，Ｔ４を用いることで、ドライバーが居眠り状態であるか否かを判断する構成としてもよい。
【０２５０】
また、第３実施形態において、制御装置１９０の特定走行制御機能は、ドライバー状態推定機能により、ドライバーが居眠り状態である可能性があると推定された場合には、ドライバーに運転を行わせドライバーの眠気を低減させるために、走行制御機能による自動走行を解除するように制御（特定走行制御）を行うことができる。
【０２５１】
さらに、第３実施形態において、制御装置１９０の提示機能は、ドライバー状態推定機能により、ドライバーが居眠り状態である可能性があると推定された場合に、走行制御機能による走行制御を解除するか否かを問い合わせる提示情報を提示する。ここで、図１６は、第３実施形態に係る退避制御において、提示装置１５０により提示される提示情報の一例を示す図である。たとえば、提示機能は、図１６に示すように、「所定期間の操作が検出されなかったため、 自動走行制御を解除してもよろしいでしょうか？ もし解除をしたくない場合は所定時間内に「解除を許可しない」を選択して下さい。」とのメッセージ情報を提示情報に含めて提示することができる。さらに、提示機能は、「あと残り○○秒」などのように、自動走行の解除をキャンセル可能な残り時間に関する情報を、提示情報に含めて提示することができる。
【０２５２】
また、この場合、提示機能は、「解除を許可する」および「解除を許可しない（解除をキャンセル）」の２つの選択肢を提示情報に含めて提示することができる。また、「解除を許可しない（解除をキャンセル）」をデフォルト選択肢として提示することができる。これにより、ドライバーが「解除を許可しない（解除をキャンセル）」を迅速に選択することが可能となる。
【０２５３】
続いて、図１７を参照して、第３実施形態に係る特定走行制御処理について説明する。図１７は、第３実施形態に係る特定走行制御処理を示すフローチャートである。なお、以下に説明する特定走行制御処理は、第２実施形態と同様に、たとえば、制御装置１９０により、第１実施形態に係る走行制御処理と並行して、実行することができる。また、特定走行制御処理は、一定の間隔で繰り返し行われる。
【０２５４】
ステップＳ３０１〜Ｓ３０３では、第２実施形態のステップＳ２０１〜Ｓ２０３と同様に、履歴情報の取得が行われ（ステップＳ３０１）、応答情報の入力回数Ｉを提示情報の提示回数Ｄで除した値が所定値Ｔ１以下であるか否かの判断が行われ（ステップＳ３０２）、車載機器１４０の操作回数Ｈが所定値Ｔ２以下であるか否かの判断が行われる（ステップＳ３０３）。そして、応答情報の入力回数Ｉを提示情報の提示回数Ｄで除した値が所定値Ｔ１以下であり（ステップＳ３０２＝Ｙｅｓ）、かつ、車載機器１４０の操作回数Ｈが所定値Ｔ２以下である場合（ステップＳ３０３＝Ｙｅs）は、ドライバーは居眠り状態である可能性があると推定され、ステップＳ３０４に進む。
【０２５５】
ステップＳ３０４では、提示機能により、自動走行の解除を行う旨の提示情報がドライバーに提示される。具体的には、提示機能は、図１６に示すように、走行制御機能による走行制御を解除する旨の提示情報をドライバーに提示する。
【０２５６】
ステップＳ３０５では、特定走行制御機能により、ステップＳ３０４で提示された提示情報に対して、ドライバーが走行制御の「解除を許可する」および「解除を許可しない（解除をキャンセル）」のうちいずれかの選択肢を選択したか否かの判断が行われる。ドライバーがいずれかの選択肢を選択した場合には、ステップＳ３０６に進み、一方、ドライバーがいずれの選択肢も選択していない場合には、ステップＳ３０８に進む。
【０２５７】
ステップＳ３０６では、ドライバーがいずれかの選択肢を選択していると判断されているため、特定走行制御機能により、ステップＳ３０４で提示された提示情報に対して、ドライバーが走行制御の「解除を許可しない（解除をキャンセル）」の選択肢を選択したか否かの判断が行われる。ドライバーが走行制御の「解除を許可しない（解除をキャンセル）」の選択肢を選択した場合には、図４に示す走行制御処理を継続するために、ステップＳ３０７に進む。一方、ドライバーが走行制御の「解除を許可する」の選択肢を選択した場合には、走行制御を解除するために、ステップＳ３０９に進む。
【０２５８】
また、ステップＳ３０５において、ドライバーがいずれの選択肢も選択していない場合には、ステップＳ３０８に進み、特定走行制御機能により、ドライバーにより応答情報が入力されない状態で、ステップＳ３０４で走行制御の解除を行うか否かの提示情報を提示してから一定時間が経過したか否かの判断が行われる。一定時間が経過していない場合には、ステップＳ３０７に進み、図４に示す走行制御処理が継続して行われる。一方、ドライバーからの応答がなく一定時間が経過した場合には、走行制御を解除するために、ステップＳ３０９に進む。
【０２５９】
なお、ステップＳ３０５，Ｓ３０６，Ｓ３０８においては、ドライバーが入力装置１６０を介して提示装置１５０のディスプレイに提示された「解除を許可しない（解除をキャンセル）」の選択肢を直接選択しない場合でも、ドライバーが、たとえばステアリングやアクセルペダルの操作、車載機器の操作などを行った場合には、走行制御の「解除を許可しない（解除をキャンセル）」が選択されたものと判断し、ステップＳ３０７に進むことができる。
【０２６０】
ステップＳ３０９では、特定走行制御機能により、走行制御処理の解除が行われる。すなわち、特定走行制御機能は、走行制御機能による走行制御を解除する。これにより、図４に示す走行制御処理が中断され、ドライバーは自身で運転を行うこととなる。
【０２６１】
以上のように、第３実施形態に係る走行制御装置１００は、提示情報および応答情報の履歴情報、車載機器１４０の操作履歴情報に基づいて、ドライバーが居眠り状態（または眠い状態）である可能性があるか否かを推定する。そして、ドライバーが居眠り状態（または眠い状態）である可能性がある場合には、図４に示す走行制御処理を解除する否かの提示情報を、ドライバーに提示する。そして、ドライバーが走行制御の解除の実行を選択した場合、または、ドライバーが提示情報に応答できない場合に、図４に示す走行制御処理を中断し、ドライバーに運転を行わせる。これにより、第２実施形態では、第１実施形態の効果に加えて、ドライバーが居眠り状態（または眠い状態）である場合に、ドライバーに運転を行わせることができ、ドライバーの眠気を低減させることができる。
【０２６２】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０２６３】
たとえば、上述した実施形態では、「先行車両への追い越しシーン」に対応する提示情報が「追従する」と「追い越す」の２つの選択肢を有する構成を例示したが、この構成に限定されず、たとえば、「右に車線変更して追い越す」などの様々な選択肢を有することができる。また、他の走行シーンに対応する提示情報についても同様である。
【０２６４】
また、上述した第２、第３実施形態では、特定走行制御を行うか否かをドライバーに問い合わせる提示情報の選択肢として、特定走行制御を「キャンセル」する旨の選択肢をデフォルト選択肢として設定する構成を例示したが、この構成に限定されず、たとえば、特定走行制御を「実行」する旨の選択肢をデフォルト選択肢として設定する構成とすることができる。また、ドライバーがデフォルト選択肢である「キャンセル」の選択肢を選択し易いように、特定走行制御を「実行」する旨の選択肢、または、「キャンセル」する旨の選択肢の表示態様を変更する構成としてもよい。
【０２６５】
なお、上述した実施形態のセンサ１１０は本発明の検出手段に、制御装置１９０の走行シーン判定機能は本発明の判定手段に、制御装置１９０は本発明の記憶手段に、制御装置１９０の提示情報決定機能、提示機能および提示装置１５０は本発明の提示手段に、入力装置１６０は本発明の入力手段に、制御装置１９０の走行制御機能および駆動制御装置１８０は本発明の制御手段に、それぞれ相当する。
【符号の説明】
【０２６６】
１００…走行制御装置
１１０…センサ
１２０…自車位置検出装置
１３０…地図データベース
１４０…車載機器
１５０…提示装置
１６０…入力装置
１７０…通信装置
１８０…駆動制御装置
１９０…制御装置
【図１】
2016113926.tif 000003
【図２】
2016113926.tif 000004
【図３】
2016113926.tif 000005
【図４】
2016113926.tif 000006
【図５】
2016113926.tif 000007
【図６】
2016113926.tif 000008
【図７】
2016113926.tif 000009
【図８】
2016113926.tif 000010
【図９】
2016113926.tif 000011
【図１０】
2016113926.tif 000012
【図１１】
2016113926.tif 000013
【図１２】
2016113926.tif 000014
【図１３】
2016113926.tif 000015
【図１４】
2016113926.tif 000016
【図１５】
2016113926.tif 000017
【図１６】
2016113926.tif 000018
【図１７】
2016113926.tif 000019
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
自車両の走行状態を検出する検出手段と、
前記自車両の走行状態に基づいて、自車両の走行シーンを判定する判定手段と、
前記走行シーンごとに、ユーザに提示する提示情報を記憶している記憶手段と、
前記走行シーンに対応する前記提示情報をユーザに提示する提示手段と、
前記提示情報に対する応答情報をユーザが入力するための入力手段と、
前記入力手段により入力された応答情報に基づいて、自車両の走行を制御する制御手段と、を備え、
前記提示手段は、前記走行シーンに対応して実行する制御が複数該当する場合に、優先する制御に対応した走行シーンの前記提示情報を、ユーザに提示することを特徴とする走行制御装置。
【請求項２】
請求項１に記載の走行制御装置であって、
前記自車両の走行状態、前記ドライバーの運転状態、自車両が走行する道路の状態、または周囲の走行環境に基づいて、前記優先する制御に対応した走行シーンの前記提示情報を決定することを特徴とする走行制御装置。
【請求項３】
自車両の走行状態を検出する検出手段と、
前記自車両の走行状態に基づいて、自車両の走行シーンを判定する判定手段と、
前記走行シーンごとに、複数の選択肢を含む提示情報を記憶している記憶手段と、
前記提示情報をユーザに提示する提示手段と、
前記提示情報に含まれる前記複数の選択肢の中から、ユーザが１の選択肢を選択するための入力手段と、
前記ユーザが選択した選択肢に基づいて、自車両の走行を制御する制御手段と、を備え、
前記提示手段は、前記自車両の走行状態に基づいて、前記提示情報に含まれる前記複数の選択肢の中から１つの選択肢を候補選択肢として決定し、前記候補選択肢が選択された状態で、前記提示情報をユーザに提示し、
前記制御手段は、前記提示情報がユーザに提示された後に、ユーザが選択肢を選択しない場合には、前記候補選択肢をユーザが選択した選択肢とみなして、前記候補選択肢に基づいて、自車両の走行を制御することを特徴とする走行制御装置。
【請求項４】
請求項３に記載の走行制御装置であって、
前記制御手段は、前記提示情報がユーザに提示された後、ユーザが選択肢を選択するまでの間に、自車両が前記走行シーンごとに定められた所定の制御開始条件を満たした場合には、前記候補選択肢に基づいて、自車両の走行を制御することを特徴とする走行制御装置。
【請求項５】
請求項３または４に記載の走行制御装置であって、
前記記憶手段は、先行車両に追いつくシーンに対応する前記提示情報として、前記先行車両に追従する旨の選択肢および前記先行車両を追い越す旨の選択肢を含む提示情報を記憶しており、
前記提示手段は、前記自車両の実際の走行シーンが前記先行車両に追いつくシーンである場合には、前記自車両の走行状態に基づいて、前記先行車両に追従する旨の選択肢および前記先行車両を追い越す旨の選択肢の中から、前記候補選択肢を決定することを特徴とする走行制御装置。
【請求項６】
請求項３〜５のいずれかに記載の走行制御装置であって、
前記記憶手段は、料金所に近づくシーンに対応する前記提示情報として、料金所の各ブースに対応する複数の選択肢を含む提示情報を記憶しており、
前記提示手段は、前記自車両の実際の走行シーンが前記料金所に近づくシーンである場合には、前記自車両の走行状態に基づいて、前記料金所の各ブースに対応する複数の選択肢の中から、前記候補選択肢を決定することを特徴とする走行制御装置。
【請求項７】
請求項３〜６のいずれかに記載の走行制御装置であって、
前記記憶手段は、合流地点に近づくシーンに対応する前記提示情報として、直進する旨の選択肢および車線変更を行う旨の選択肢を含む提示情報を記憶しており、
前記提示手段は、前記自車両の実際の走行シーンが前記合流地点に近づくシーンである場合には、前記自車両の走行状態に基づいて、前記直進する旨の選択肢および前記車線変更を行う旨の選択肢の中から、前記候補選択肢を決定することを特徴とする走行制御装置。
【請求項８】
自車両の走行状態を検出する検出手段と、
前記自車両の走行状態に基づいて、自車両の走行シーンを判定する判定手段と、
前記走行シーンに対応して実行する制御ごとに、自車両が実行可能な走行態様をそれぞれ示す提示情報を記憶している記憶手段と、
前記走行シーンに対応して実行する制御が複数該当する場合に、複数の前記提示情報を選択肢としてユーザに提示する提示手段と、
前記複数の選択肢の中から、ユーザが１の選択肢を選択するための入力手段と、
前記ユーザが選択した選択肢に基づいて、自車両の走行を制御する制御手段と、を備え、
前記提示手段は、前記自車両の走行状態に基づいて、前記提示情報に含まれる前記複数の選択肢のうち一部の選択肢である第１選択肢を第１の提示態様で提示し、前記複数の選択肢のうち前記第１選択肢とは異なる第２選択肢を前記第１の提示態様とは異なる第２の提示態様で提示することを特徴とする走行制御装置。
【請求項９】
請求項８に記載の走行制御装置であって、
前記記憶手段は、先行車両に追いつくシーンに対応して実行する制御の前記提示情報として、前記先行車両に追従する旨の選択肢および前記先行車両を追い越す旨の選択肢を含む複数の提示情報を記憶しており、
前記提示手段は、前記自車両の実際の走行シーンが前記先行車両に追いつくシーンである場合には、前記自車両の走行状態に基づいて、前記先行車両に追従する旨の選択肢を前記第１の提示態様または前記第２の提示態様で提示し、前記先行車両を追い越す旨の選択肢を、前記先行車両に追従する旨の選択肢の提示態様とは異なる前記第１の提示態様または前記第２の提示態様で提示することを特徴とする走行制御装置。
【請求項１０】
請求項８または９に記載の走行制御装置であって、
前記記憶手段は、料金所に近づくシーンに対応して実行する制御の前記提示情報として、料金所の各ブースに対応する複数の選択肢を含む複数の提示情報を記憶しており、
前記提示手段は、前記自車両の実際の走行シーンが前記料金所に近づくシーンである場合には、前記自車両の走行状態に基づいて、前記各ブースに対応する複数の選択肢のうち一部のブースに対応する選択肢を前記第１の提示態様または前記第２の提示態様で提示し、前記一部のブースに対応する選択肢とは異なる選択肢を、前記一部のブースに対応する選択肢の提示態様とは異なる前記第１の提示態様または前記第２の提示態様で提示することを特徴とする走行制御装置。
【請求項１１】
請求項８〜１０のいずれかに記載の走行制御装置であって、
前記記憶手段は、合流地点に近づくシーンに対応して実行する制御の前記提示情報として、直進する旨の選択肢および車線変更を行う旨の選択肢を含む複数の提示情報を記憶しており、
前記提示手段は、前記自車両の実際の走行シーンが前記合流地点に近づくシーンである場合には、前記自車両の走行状態に基づいて、前記直進する旨の選択肢を前記第１の提示態様または前記第２の提示態様で提示し、前記車線変更を行う旨の選択肢を前記直進する旨の選択肢の提示態様とは異なる前記第１の提示態様または前記第２の提示態様で提示することを特徴とする走行制御装置。
【請求項１２】
請求項１〜１１のいずれかに記載の走行制御装置であって、
前記記憶手段は、前記走行シーンに関連付けて、前記走行シーンに対応して実行する制御の提示情報を提示する提示条件を記憶しており、
前記提示手段は、自車両が前記提示条件を満たした場合に、前記提示情報をユーザに提示することを特徴とする走行制御装置。
【請求項１３】
請求項１２に記載の走行制御装置であって、
前記提示手段は、前記自車両の走行状態に基づいて、前記提示情報の提示条件を変更することを特徴とする走行制御装置。
【請求項１４】
自車両の走行状態を検出する検出手段と、
前記自車両の走行状態に基づいて、自車両の走行シーンを判定する判定手段と、
前記走行シーンごとに、ユーザに提示する提示情報を記憶している記憶手段と、
前記走行シーンに対応する前記提示情報をユーザに提示する提示手段と、
前記提示情報に対する応答情報をユーザが入力するための入力手段と、
前記入力手段により入力された応答情報に基づいて、自車両の自動走行を制御する制御手段と、を備え、
前記制御手段は、前記提示情報の提示回数に対する前記応答情報の入力回数の割合が所定値以下である場合に、前記自動走行を解除する制御を特定制御として実行することを特徴とする走行制御装置。
【請求項１５】
請求項１４に記載の走行制御装置であって、
ユーザにより、車載機器が操作されたことを示す操作情報を取得する取得手段をさらに備え、
前記制御手段は、前記操作情報に基づいて、現在までの一定時間における前記車載機器の操作回数が所定回数以下である場合に、前記特定制御を実行することを特徴とする走行制御装置。
【請求項１６】
請求項１４または１５に記載の走行制御装置であって、
前記提示手段は、前記制御手段により前記特定制御が実行される前に、前記特定制御を実行するか否かをユーザが選択するための選択肢を含む特定提示情報を、ユーザに提示することを特徴とする走行制御装置。
【請求項１７】
請求項１６に記載の走行制御装置であって、
前記提示手段は、前記特定提示情報に含まれる選択肢のうち、前記特定制御を実行しない旨の選択肢を候補選択肢として決定し、前記候補選択肢が選択された状態で、前記特定提示情報をユーザに提示することを特徴とする走行制御装置。
【請求項１８】
請求項１４〜１７のいずれかに記載の走行制御装置であって、
前記制御手段は、ユーザにより選択肢が選択されない場合には、前記特定制御を実行することを特徴とする走行制御装置。
【国際調査報告】
2016113926.tif 000020
2016113926.tif 000021
2016113926.tif 000022
2016113926.tif 000023